(57)【要約】  この出願の実施形態は、ネットワークデバイスにより、ユーザ機器UEに、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を送信するステップであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、ステップと、ネットワークデバイスにより、波形に関する情報、アンテナポートに関する情報、およびリソースブロックに関する情報に基づいて、リソースブロックにおいてUEに基準信号を送信し、またはUEから基準信号を受信するステップと、を含む、基準信号を伝送するための方法を提供する。
2020515111.tif 000002
【特許請求の範囲】
【請求項１】
基準信号を伝送するための方法であって、
ネットワークデバイスにより、ユーザ機器UEに、前記UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を送信するステップであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記DFT-s-OFDM波形に対応する基準信号が、周波数領域において櫛形の形態でマッピングされ、前記OFDM波形に対応する基準信号が、前記DFT-s-OFDM波形がマッピングされない周波数領域リソースにマッピングされる、ステップと、
前記ネットワークデバイスにより、前記波形に関する前記情報、前記アンテナポートに関する前記情報、および前記リソースブロックに関する前記情報に基づいて、前記リソースブロックにおいて前記UEに前記基準信号を送信し、または前記UEから前記基準信号を受信するステップと、
を備える方法。
【請求項２】
前記OFDM波形に対応する前記基準信号が、周波数領域において櫛形の形態でマッピングされる、請求項1に記載の方法。
【請求項３】
前記OFDM波形に対応する前記基準信号が周波数領域においてマッピングされる前記形態が、前記DFT-s-OFDM波形に対応する前記基準信号が周波数領域においてマッピングされる前記形態と同じである、請求項1または2に記載の方法。
【請求項４】
前記OFDM波形が第1の数のアンテナポートに対応するとき、前記第1の数のアンテナポートを通じて伝送される基準信号が、直交符号を使用することによって周波数領域において直交化され、前記第1の数が、1より大きい正の整数である、請求項1から3のいずれか一項に記載の方法。
【請求項５】
前記DFT-s-OFDM波形が第2の数のアンテナポートに対応するとき、前記第2の数のアンテナポートを通じて伝送される基準信号が、直交符号を使用することによって周波数領域において直交化され、前記第2の数が、1より大きい正の整数である、請求項1から4のいずれか一項に記載の方法。
【請求項６】
前記方法が、前記ネットワークデバイスにより、前記UEのうちのペアにされたUEの波形に関する情報およびアンテナポートに関する情報を前記UEに送信するステップをさらに備える、請求項1から5のいずれか一項に記載の方法。
【請求項７】
基準信号を伝送するためのネットワークデバイスであって、
ユーザ機器UEに、前記UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を送信するように構成されたトランシーバであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記DFT-s-OFDM波形に対応する基準信号が、周波数領域において櫛形の形態でマッピングされ、前記OFDM波形に対応する基準信号が、前記DFT-s-OFDM波形がマッピングされない周波数領域リソースにマッピングされる、トランシーバと、
前記波形に関する前記情報、前記アンテナポートに関する前記情報、および前記リソースブロックに関する前記情報に基づいて、前記リソースブロックにおいて伝送される前記基準信号を取得するように構成されたプロセッサと、
を備えるネットワークデバイス。
【請求項８】
前記OFDM波形に対応する前記基準信号が、周波数領域において櫛形の形態でマッピングされる、請求項7に記載のネットワークデバイス。
【請求項９】
前記OFDM波形に対応する前記基準信号が周波数領域においてマッピングされる前記形態が、前記DFT-s-OFDM波形に対応する前記基準信号が周波数領域においてマッピングされる前記形態と同じである、請求項7または8に記載のネットワークデバイス。
【請求項１０】
前記OFDM波形が第1の数のアンテナポートに対応するとき、前記第1の数のアンテナポートを通じて伝送される基準信号が、直交符号を使用することによって周波数領域において直交化され、前記第1の数が、1より大きい正の整数である、請求項7から9のいずれか一項に記載のネットワークデバイス。
【請求項１１】
前記DFT-s-OFDM波形が第2の数のアンテナポートに対応するとき、前記第2の数のアンテナポートを通じて伝送される基準信号が、直交符号を使用することによって周波数領域において直交化され、前記第2の数が、1より大きい正の整数である、請求項7から10のいずれか一項に記載のネットワークデバイス。
【請求項１２】
前記トランシーバが、前記UEのうちのペアにされたUEの波形に関する情報およびアンテナポートに関する情報を前記UEに送信するようにさらに構成された、請求項7から11のいずれか一項に記載のネットワークデバイス。
【請求項１３】
基準信号を送信および受信するための方法であって、前記方法が、
ユーザ機器UEにより、ネットワークデバイスから、前記UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を受信するステップであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記DFT-s-OFDM波形に対応する基準信号が、周波数領域において櫛形の形態でマッピングされ、前記OFDM波形に対応する基準信号が、前記DFT-s-OFDM波形がマッピングされない周波数領域リソースにマッピングされる、ステップと、
前記UEにより、前記波形に関する前記情報、前記アンテナポートに関する前記情報、および前記リソースブロックに関する前記情報に基づいて、前記リソースブロックにおいて前記ネットワークに前記基準信号を送信し、または前記ネットワークから前記基準信号を受信するステップと、
を備える方法。
【請求項１４】
前記OFDM波形に対応する前記基準信号が、周波数領域において櫛形の形態でマッピングされる、請求項13に記載の方法。
【請求項１５】
前記OFDM波形に対応する前記基準信号が周波数領域においてマッピングされる前記形態が、前記DFT-s-OFDM波形に対応する前記基準信号が周波数領域においてマッピングされる前記形態と同じである、請求項13または14に記載の方法。
【請求項１６】
前記UEが前記OFDM波形に対応する前記基準信号を送信または受信するとき、2つの連続したサブキャリアを備えるリソース要素の集合が、使用のために前記UEのためにスケジューリングされる、請求項13から15のいずれか一項に記載の方法。
【請求項１７】
前記方法が、前記UEにより、直交符号を使用することによって、2つの連続したサブキャリアを備える前記リソース要素の集合において基準信号を処理するステップをさらに備える、請求項16に記載の方法。
【請求項１８】
ユーザ機器UEであって、前記UEが、
ネットワークデバイスから、前記ユーザ機器UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を受信するように構成されたトランシーバであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記DFT-s-OFDM波形に対応する基準信号が、周波数領域において櫛形の形態でマッピングされ、前記OFDM波形に対応する基準信号が、前記DFT-s-OFDM波形がマッピングされない周波数領域リソースにマッピングされる、トランシーバを備えるユーザ機器UE。
【請求項１９】
前記トランシーバが、前記波形に関する前記情報、前記アンテナポートに関する前記情報、および前記リソースブロックに関する前記情報に基づいて、前記リソースブロックにおいて前記ネットワークに前記基準信号を送信し、または前記ネットワークから前記基準信号を受信するようにさらに構成された、請求項18に記載のUE。
【請求項２０】
前記OFDM波形に対応する前記基準信号が、周波数領域において櫛形の形態でマッピングされる、請求項18または19に記載のUE。
【請求項２１】
前記OFDM波形に対応する前記基準信号が周波数領域においてマッピングされる前記形態が、前記DFT-s-OFDM波形に対応する前記基準信号が周波数領域においてマッピングされる前記形態と同じである、請求項18から20のいずれか一項に記載のUE。
【請求項２２】
前記トランシーバが、前記OFDM波形に対応する前記基準信号を送信または受信するようにさらに構成され、2つの連続したサブキャリアを備えるリソース要素の集合が、使用のために前記UEのためにスケジューリングされる、請求項18から21のいずれか一項に記載のUE。
【請求項２３】
前記UEが、直交符号を使用することによって、2つの連続したサブキャリアを備える前記リソース要素の集合において基準信号を処理するように構成されたプロセッサをさらに備える、請求項22に記載のUE。
【請求項２４】
請求項1から6のいずれか一項に記載の方法または請求項13から17のいずれか一項に記載の方法を実行するために設計されたプログラムを備えるコンピュータ読み取り可能な記憶媒体。
【請求項２５】
基準信号を送信および受信するための方法であって、前記方法が、
ネットワークデバイスから、ユーザ機器UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を受信するステップであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記波形が前記DFT-s-OFDM波形であるとき、前記DFT-s-OFDM波形に対応する基準信号が周波数領域において櫛形の形態でマッピングされ、または前記波形が前記OFDM波形であるとき、前記OFDM波形に対応する基準信号が周波数領域において櫛形の形態でマッピングされ、または前記OFDM波形に対応する基準信号が2つの連続したサブキャリアを備えるリソース要素の集合において伝送される、ステップと、
前記UEにより、前記波形に関する前記情報、前記アンテナポートに関する前記情報、および前記リソースブロックに関する前記情報に基づいて、前記リソースブロックにおいて前記ネットワークデバイスに前記基準信号を送信し、または前記ネットワークデバイスから前記基準信号を受信するステップと、
を備える方法。
【請求項２６】
前記方法が、前記UEにより、直交符号を使用することによって、2つの連続したサブキャリアを備える前記リソース要素の集合において前記基準信号を直交化するステップをさらに備える、請求項25に記載の方法。
【請求項２７】
基準信号を送信および受信するための方法であって、前記方法が、
ネットワークデバイスにより、ユーザ機器UEに、前記UEのためにスケジューリングされた波形に関する情報、前記UEのためにスケジューリングされたアンテナポートに関する情報、および前記UEのためにスケジューリングされたリソースブロックに関する情報を送信するステップであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記波形が前記DFT-s-OFDM波形であるとき、前記DFT-s-OFDM波形に対応する基準信号が周波数領域において櫛形の形態でマッピングされ、または前記波形が前記OFDM波形であるとき、前記OFDM波形に対応する基準信号が周波数領域において櫛形の形態でマッピングされ、または前記OFDM波形に対応する基準信号が2つの連続したサブキャリアを備えるリソース要素の集合において伝送される、ステップと、
前記ネットワークデバイスにより、前記波形に関する前記情報、前記アンテナポートに関する前記情報、および前記リソースブロックに関する前記情報に基づいて、前記リソースブロックにおいて前記UEに前記基準信号を送信し、または前記UEから前記基準信号を受信するステップと、
を備える方法。
【請求項２８】
基準信号を伝送するための方法であって、
ネットワークデバイスから、ユーザ機器UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を受信するステップであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記DFT-s-OFDM波形に対応する基準信号が周波数領域において櫛形の形態でマッピングされ、前記OFDM波形に対応する基準信号および前記DFT-s-OFDM波形に対応する前記基準信号が異なる周波数領域リソースにマッピングされる、ステップと、
前記UEにより、前記波形に関する前記情報、前記アンテナポートに関する前記情報、および前記リソースブロックに関する前記情報に基づいて、前記リソースブロックにおいて前記ネットワークデバイスに前記基準信号を送信し、または前記ネットワークデバイスから前記基準信号を受信するステップと、
を備える方法。
【請求項２９】
前記OFDM波形に対応する前記基準信号が周波数領域において櫛形の形態でマッピングされる、請求項28に記載の方法。
【請求項３０】
前記OFDM波形に対応する前記基準信号が周波数領域においてマッピングされる前記形態が、前記DFT-s-OFDM波形に対応する前記基準信号が周波数領域においてマッピングされる前記形態と同じである、請求項28または29に記載の方法。
【請求項３１】
基準信号を伝送するための方法であって、
ネットワークデバイスにより、ユーザ機器UEに、前記UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を送信するステップであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記DFT-s-OFDM波形に対応する基準信号が周波数領域において櫛形の形態でマッピングされ、前記OFDM波形に対応する基準信号および前記DFT-s-OFDM波形に対応する前記基準信号が異なる周波数領域リソースにマッピングされる、ステップと、
前記ネットワークデバイスにより、前記波形に関する前記情報、前記アンテナポートに関する前記情報、および前記リソースブロックに関する前記情報に基づいて、前記リソースブロックにおいて前記UEに前記基準信号を送信し、または前記UEから前記基準信号を受信するステップと、
を備える方法。
【請求項３２】
ユーザ機器UEであって、前記UEが、
ネットワークデバイスから、ユーザ機器UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を受信するように構成されたトランシーバであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記波形が前記DFT-s-OFDM波形であるとき、前記DFT-s-OFDM波形に対応する基準信号が周波数領域において櫛形の形態でマッピングされ、または前記波形が前記OFDM波形であるとき、前記OFDM波形に対応する基準信号が周波数領域において櫛形の形態でマッピングされ、または前記OFDM波形に対応する基準信号が2つの連続したサブキャリアを備えるリソース要素の集合において伝送される、トランシーバを備え、
前記トランシーバが、前記波形に関する前記情報、前記アンテナポートに関する前記情報、および前記リソースブロックに関する前記情報に基づいて、前記リソースブロックにおいて前記ネットワークデバイスに前記基準信号を送信し、または前記ネットワークデバイスから前記基準信号を受信するようにさらに構成された、ユーザ機器UE。
【請求項３３】
前記UEが、直交符号を使用することによって、2つの連続したサブキャリアを備える前記リソース要素の集合において前記基準信号を直交化するように構成されたプロセッサをさらに備える、請求項32に記載のUE。
【請求項３４】
ネットワークデバイスであって、前記ネットワークデバイスが、
ユーザ機器UEに、前記UEのためにスケジューリングされた波形に関する情報、前記UEのためにスケジューリングされたアンテナポートに関する情報、および前記UEのためにスケジューリングされたリソースブロックに関する情報を送信するように構成されたトランシーバであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記波形が前記DFT-s-OFDM波形であるとき、前記DFT-s-OFDM波形に対応する基準信号が周波数領域において櫛形の形態でマッピングされ、または前記波形が前記OFDM波形であるとき、前記OFDM波形に対応する基準信号が周波数領域において櫛形の形態でマッピングされ、または前記OFDM波形に対応する基準信号が2つの連続したサブキャリアを備えるリソース要素の集合において伝送される、トランシーバを備え、
前記トランシーバが、前記波形に関する前記情報、前記アンテナポートに関する前記情報、および前記リソースブロックに関する前記情報に基づいて、前記リソースブロックにおいて前記UEに前記基準信号を送信し、または前記UEから前記基準信号を受信するようにさらに構成された、ネットワークデバイス。
【請求項３５】
ユーザ機器UEであって、
ネットワークデバイスから、ユーザ機器UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を受信するように構成されたトランシーバであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記DFT-s-OFDM波形に対応する基準信号が周波数領域において櫛形の形態でマッピングされ、前記OFDM波形に対応する基準信号および前記DFT-s-OFDM波形に対応する前記基準信号が異なる周波数領域リソースにマッピングされる、トランシーバを備え、
前記トランシーバが、前記波形に関する前記情報、前記アンテナポートに関する前記情報、および前記リソースブロックに関する前記情報に基づいて、前記リソースブロックにおいて前記ネットワークデバイスに前記基準信号を送信し、または前記ネットワークデバイスから前記基準信号を受信するようにさらに構成された、ユーザ機器UE。
【請求項３６】
前記OFDM波形に対応する前記基準信号が周波数領域において櫛形の形態でマッピングされる、請求項35に記載のUE。
【請求項３７】
前記OFDM波形に対応する前記基準信号が周波数領域においてマッピングされる前記形態が、前記DFT-s-OFDM波形に対応する前記基準信号が周波数領域においてマッピングされる前記形態と同じである、請求項35または36に記載のUE。
【請求項３８】
ネットワークデバイスであって、
ユーザ機器UEに、前記UEのために前記ネットワークデバイスによってスケジューリングされた波形に関する情報、前記UEのために前記ネットワークデバイスによってスケジューリングされたアンテナポートに関する情報、および前記UEのために前記ネットワークデバイスによってスケジューリングされたリソースブロックに関する情報を送信するように構成されたトランシーバであって、前記波形が、OFDM波形またはDFT-s-OFDM波形を備え、前記アンテナポートが、基準信号を送信または受信するために前記UEによって使用されるリソースマッピングパターンを示し、前記リソースマッピングパターンのシンボルにおいて、前記DFT-s-OFDM波形に対応する基準信号が周波数領域において櫛形の形態でマッピングされ、前記OFDM波形に対応する基準信号および前記DFT-s-OFDM波形に対応する前記基準信号が異なる周波数領域リソースにマッピングされる、トランシーバを備え、
前記トランシーバが、前記波形に関する前記情報、前記アンテナポートに関する前記情報、および前記リソースブロックに関する前記情報に基づいて、前記リソースブロックにおいて前記UEに前記基準信号を送信し、または前記UEから前記基準信号を受信するようにさらに構成された、ネットワークデバイス。
【請求項３９】
請求項25から31のいずれか一項に記載の方法を実行するために設計されたプログラムを備えるコンピュータ読み取り可能な記憶媒体。
【請求項４０】
請求項25から31のいずれか一項に記載の方法を実現するように構成された装置。
【発明の詳細な説明】
【技術分野】
【０００１】
この出願は、2017年1月9日に中国特許庁に出願された、発明の名称を「基準信号を伝送するための方法およびデバイス」とする中国特許出願第201710014450.X号の優先権を主張し、これはその全体が参照によりここに組み込まれる。
【０００２】
この出願の実施形態は、通信の分野、より具体的には、基準信号を伝送するための方法およびデバイスに関する。
【背景技術】
【０００３】
直交周波数分割多重(英語: Orthogonal Frequency Division Multiplexing、略してOFDM)および離散フーリエ変換拡散直交周波数分割多重(英語: Discrete Fourier Transform-Spread-OFDM、略してDFT-s-OFDM)は、ワイヤレス通信における2つの典型的な波形である。OFDMは、マルチキャリア波形であり、強力な耐マルチパス能力および柔軟な周波数分割多重形態のような利点を有するが、過度に高いピーク対平均電力比(英語: Peak-to-Average Power Ratio、略してPAPR)という欠点も有する。DFT-s-OFDMにおいて、OFDMの逆高速フーリエ変換(英語: Inverse Fast Fourier Transform、略してIFFT)の前に離散フーリエ変換(英語: Discrete Fourier Transform、略してDFT)拡散が導入され、それにより、OFDMの複数の利点を達成しながら、OFDMのPAPRよりずっと低いPAPRを提供する。OFDMのサブキャリア処理プロセスがDFT-s-OFDMに導入されるが、DFT-s-OFDMは、本質的に、シングルキャリア波形である。
【０００４】
新世代ワイヤレス通信規格5GのアップリンクにおいてOFDM波形とDFT-s-OFDM波形の両方を使用することが決定された。OFDM波形は、高い信号対雑音比のシナリオにおいてより大きいシステム容量を提供することができ、セルの中央においてユーザに適用可能である。DFT-s-OFDM波形は、低PAPR特性を有し、それによって、電力増幅器が、より高い出力電力を有することができ、より広いカバレッジが、提供されることができる。したがって、DFT-s-OFDM波形は、限定されたカバレッジを有するセルの端においてユーザに適用可能である。
【０００５】
データおよび制御情報の受信に成功するために、復調基準信号(英語: Demodulation Reference Signal、略してDMRS)が必要である。OFDMとDFT-s-OFDMのハイブリッド波形のシナリオは、DMRSの伝送および受信に対して新しい要件および制限を課す。たとえば、DMRSは、OFDMの周波数領域のスケジューリングの柔軟性に影響するべきでなく、DMRSは、DFT-s-OFDMの低PAPR特性を損なうべきでなく、DMRSは、任意の波形の組み合わせのマルチユーザの多入力多出力(英語: Multi-input Multi-output、略してMIMO)伝送をサポートするべきである。
【０００６】
LTEアップリンクDMRS送信の解決策において、LTEアップリンクにおいて使用される波形は、DFT-s-OFDMである。DFT-s-OFDMデータシンボルとしての低PAPR特性を維持するために、LTEアップリンクDMRSは、周波数領域のサブキャリアに連続的にマッピングされ、使用される系列は、時間領域に変換された後、低PAPR特性を有する。たとえば、LTEアップリンクDMRSによって使用される系列は、ZC (英語: Zadoff-Chu)系列および複素Gold系列(英語: Complex Gold Sequence、略してCGS)を含む。異なるアンテナポートにおいて基準信号の直交マッピングをサポートするために、LTEアップリンクDMRSは、周波数領域の符号分割多重技術を使用する。
【０００７】
LTEダウンリンクDMRS送信の解決策において、LTEダウンリンクにおいて使用される波形は、OFDMであり、DMRSは、時間領域および周波数領域において離散的にマッピングされる。異なるアンテナポートにおいて基準信号の直交マッピングをサポートするために、LTEダウンリンクDMRSは、周波数分割多重および時間領域の符号分割多重技術を使用する。
【０００８】
結論として、LTEアップリンクDMRSは、周波数領域において連続的にマッピングされる。OFDM波形が使用されるならば、DMRSおよびデータが多重化されることができず、スペクトル効率を下げる。LTEアップリンクDMRSは、同じ周波数領域リソースにおいて符号分割多重を通じて複数のアンテナポートの並列伝送をサポートする。しかし、符号分割多重について、系列は、直交化を実現するために、同じ長さを有する必要がある。加えて、低PAPR特性を保証するために、LTEアップリンクDMRSは、周波数領域において連続している必要がある。したがって、LTEアップリンクDMRSが5Gのアップリンクにおいて使用されるならば、リソーススケジューリングの柔軟性が下げられる可能性があり、セルのスループットが減らされる可能性がある。LTEダウンリンクDMRSは、時間領域および周波数領域において離散的にマッピングされ、データおよびDMRSが、単一のOFDMシンボル内に多重化される。しかし、LTEダウンリンクDMRSによって使用される系列は、時間領域において低PAPR特性を有さない。結果として、この送信方法は、DFT-s-OFDM波形に適用されることができない。
【発明の概要】
【課題を解決するための手段】
【０００９】
この出願の実施形態は、基準信号を伝送するための方法およびデバイスを提供する。方法は、OFDM波形およびDFT-s-OFDM波形に対応する基準信号のリソースマッピングパターンを提供し、2つの波形が適用されるシナリオにおけるシグナリングのオーバーヘッドおよびシステムの複雑さを低減することを助ける。
【００１０】
第1の態様によれば、この出願の実施形態は、ネットワークデバイスにより、ユーザ機器UEに、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を送信するステップであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、ステップと、ネットワークデバイスにより、波形に関する情報、アンテナポートに関する情報、およびリソースブロックに関する情報に基づいて、リソースブロックにおいてUEに基準信号を送信し、またはUEから基準信号を受信するステップと、を含む、基準信号を伝送するための方法を提供する。この方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。
【００１１】
可能な設計において、OFDM波形に対応する基準信号は、周波数領域において櫛形の形態でマッピングされる。このようにして、OFDM波形の基準信号およびDFT-s-OFDM波形の基準信号は、同様のリソースマッピングパターンを有し、UEは、干渉の推定および除去を実行するために、ペアにされたUEの波形の種類を知ることなくペアにされたUEのリソースマッピングパターンを知ることができる。
【００１２】
可能な設計において、OFDM波形に対応する基準信号が周波数領域においてマッピングされる形態は、DFT-s-OFDM波形に対応する基準信号が周波数領域においてマッピングされる形態と同じである。この方法によれば、基準信号を復元するために、受信端が基準信号についてブラインド検出を実行するために便利である。
【００１３】
可能な設計において、OFDM波形が第1の数のアンテナポートに対応するとき、第1の数のアンテナポートを通じて伝送される基準信号は、直交符号を使用することによって周波数領域において直交化され、ここで第1の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００１４】
可能な設計において、DFT-s-OFDM波形が第2の数のアンテナポートに対応するとき、第2の数のアンテナポートを通じて伝送される基準信号は、直交符号を使用することによって周波数領域において直交化され、ここで第2の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００１５】
可能な設計において、方法は、ネットワークデバイスにより、UEのうちのペアにされたUEの波形に関する情報およびアンテナポートに関する情報をUEに送信するステップをさらに含む。したがって、UEは、干渉除去をより効果的に実行することができる。
【００１６】
第2の態様によれば、この出願の実施形態は、ネットワークデバイスから、ユーザ機器UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を受信するステップであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、ステップと、UEにより、波形に関する情報、アンテナポートに関する情報、およびリソースブロックに関する情報に基づいて、リソースブロックにおいてネットワークに基準信号を送信し、またはネットワークから基準信号を受信するステップと、を含む、基準信号を送信および受信するための方法を提供する。この方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。
【００１７】
可能な設計において、OFDM波形に対応する基準信号は、周波数領域において櫛形の形態でマッピングされる。
【００１８】
可能な設計において、OFDM波形に対応する基準信号が周波数領域においてマッピングされる形態は、DFT-s-OFDM波形に対応する基準信号が周波数領域においてマッピングされる形態と同じである。この方法によれば、基準信号を復元するために、受信端が基準信号についてブラインド検出を実行するために便利である。
【００１９】
可能な設計において、OFDM波形が第1の数のアンテナポートに対応するとき、第1の数のアンテナポートを通じて伝送される基準信号は、直交符号を使用することによって周波数領域において直交化され、ここで第1の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００２０】
可能な設計において、DFT-s-OFDM波形が第2の数のアンテナポートに対応するとき、第2の数のアンテナポートを通じて伝送される基準信号は、直交符号を使用することによって周波数領域において直交化され、ここで第2の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００２１】
可能な設計において、方法は、UEにより、UEのうちのペアにされたUEの波形に関する情報およびアンテナポートに関する情報をネットワークデバイスから受信するステップをさらに含む。したがって、UEは、干渉除去をより効果的に実行することができる。
【００２２】
第3の態様によれば、この出願の実施形態は、ネットワークデバイスを提供する。ネットワークデバイスは、ユーザ機器UEに、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を送信するように構成されたトランシーバであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、トランシーバを含む。さらに、トランシーバは、波形に関する情報、アンテナポートに関する情報、およびリソースブロックに関する情報に基づいて、リソースブロックにおいてUEに基準信号を送信し、またはUEから基準信号を受信するように構成される。この方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。
【００２３】
可能な設計において、OFDM波形に対応する基準信号は、周波数領域において櫛形の形態でマッピングされる。
【００２４】
可能な設計において、OFDM波形に対応する基準信号が周波数領域においてマッピングされる形態は、DFT-s-OFDM波形に対応する基準信号が周波数領域においてマッピングされる形態と同じである。この方法によれば、基準信号を復元するために、受信端が基準信号についてブラインド検出を実行するために便利である。
【００２５】
可能な設計において、OFDM波形が第1の数のアンテナポートに対応するとき、第1の数のアンテナポートを通じて伝送される基準信号は、直交符号を使用することによって周波数領域において直交化され、ここで第1の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００２６】
可能な設計において、DFT-s-OFDM波形が第2の数のアンテナポートに対応するとき、第2の数のアンテナポートを通じて伝送される基準信号は、直交符号を使用することによって周波数領域において直交化され、ここで第2の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００２７】
可能な設計において、トランシーバは、UEのうちのペアにされたUEの波形に関する情報およびアンテナポートに関する情報をUEに送信するようにさらに構成される。したがって、UEは、干渉除去をより効果的に実行することができる。
【００２８】
第4の態様によれば、この出願の実施形態は、ユーザ機器をさらに提供する。機器は、ネットワークデバイスから、ユーザ機器UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を受信するように構成されたトランシーバであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、トランシーバを含む。さらに、トランシーバは、波形に関する情報、アンテナポートに関する情報、およびリソースブロックに関する情報に基づいて、リソースブロックにおいてネットワークに基準信号を送信し、またはネットワークから基準信号を受信するように構成される。この方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。
【００２９】
可能な設計において、OFDM波形に対応する基準信号は、周波数領域において櫛形の形態でマッピングされる。
【００３０】
可能な設計において、OFDM波形に対応する基準信号が周波数領域においてマッピングされる形態は、DFT-s-OFDM波形に対応する基準信号が周波数領域においてマッピングされる形態と同じである。この方法によれば、基準信号を復元するために、受信端が基準信号についてブラインド検出を実行するために便利である。
【００３１】
可能な設計において、OFDM波形が第1の数のアンテナポートに対応するとき、第1の数のアンテナポートを通じて伝送される基準信号は、直交符号を使用することによって周波数領域において直交化され、ここで第1の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００３２】
可能な設計において、DFT-s-OFDM波形が第2の数のアンテナポートに対応するとき、第2の数のアンテナポートを通じて伝送される基準信号は、直交符号を使用することによって周波数領域において直交化され、ここで第2の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００３３】
可能な設計において、トランシーバは、UEのうちのペアにされたUEの波形に関する情報およびアンテナポートに関する情報をネットワークデバイスから受信するようにさらに構成される。したがって、UEは、干渉除去をより効果的に実行することができる。
【００３４】
さらに、上述の4つの態様において、DFT-s-OFDM波形に対応する基準信号の系列が、Zadoff-Chu系列または複素Gold系列CGSである。周波数分割多重が、OFDM波形に対応する基準信号およびデータに対して実行される。波形に関する情報、アンテナポートに関する情報、またはリソースブロックに関する情報は、ダウンリンク制御情報DCI、RRCシグナリング、またはMAC制御シグナリング内で搬送され得る。基準信号は、復調基準信号DMRS、チャネル状態情報-基準信号CSI-RS、またはサウンディング基準信号SRSである。
【００３５】
別の態様によれば、この出願の実施形態は、上述のネットワークデバイスまたは上述のUEによって使用されるコンピュータソフトウェア命令を記憶するように構成されたコンピュータ記憶媒体を提供する。コンピュータソフトウェア命令は、上述の方法を実行するために設計されたプログラムを含む。
【００３６】
以下は、実施形態または先行技術を説明するために要求される添付図面を簡潔に説明する。明らかに、以下の説明における添付図面は、この出願の単にいくつかの実施形態を表し、この技術分野の当業者は、創造的な努力なしにこれらの添付図面から他の図面を依然として導き出し得る。
【図面の簡単な説明】
【００３７】
【図１】この出願の実施形態による、基準信号を伝送するための方法の概略的なフローチャートである。
【図２】スロットの概略的な構造図である。
【図２ａ】別のスロットの概略的な構造図である。
【図３】時間周波数リソースのグリッド構造の概略図である。
【図４】単一のアンテナポートの基準信号のリソースマッピングパターンの概略図である。
【図５】2つのアンテナポートの基準信号のリソースマッピングパターンの概略図である。
【図６】DFT-s-OFDM波形の基準信号のリソースマッピングパターンの概略図である。
【図７】周波数領域における低PAPR系列の連続したマッピングおよび離散したマッピングの間の時間領域波形の概略図である。
【図８】OFDM波形の基準信号の概略的なマッピングの図である。
【図９】この出願の実施形態による、UE 1およびUE 2の基準信号のリソースマッピングパターンの概略図である。
【図１０】この出願の実施形態による、UE 1、UE 2、およびUE 3の基準信号のリソースマッピングパターンの概略図である。
【図１１】この出願の実施形態による、UE 1、UE 2、およびUE 3の基準信号のリソースマッピングパターンの概略図である。
【図１２】この出願の実施形態による、UE 1およびUE 2の基準信号のリソースマッピングパターンの概略図である。
【図１３】異なる密度を有する基準信号のリソースマッピングパターンの概略図である。
【図１４】この出願の実施形態による、複数のMIMOのシナリオにおける基準信号リソースマッピングの概略図である。
【図１５】この出願の実施形態による、基準信号のリソースマッピングパターンの概略図である。
【図１６】この出願の実施形態による、基準信号のリソースマッピングパターンの概略図である。
【図１７】この出願の実施形態による、ネットワークデバイスの可能な概略的な構造図である。
【図１８】この出願の実施形態による、UEの可能な設計構造の単純化された概略図である。
【発明を実施するための形態】
【００３８】
以下は、この出願の実施形態における添付図面を参照して、この出願の実施形態における技術的解決策を説明する。明らかに、説明される実施形態は、この出願の実施形態のすべてではなく単にいくつかである。創造的な努力なしにこの出願の実施形態に基づいてこの技術分野の当業者によって得られる他のすべての実施形態は、この出願の保護範囲内に入るものである。
【００３９】
この出願の実施形態におけるネットワークデバイス(たとえば、基地局)が、UEのためにワイヤレス通信機能を提供するために無線アクセスネットワーク内に配備される装置であることが理解されるべきである。ネットワークデバイスは、様々な形式での、マクロ基地局、マイクロ基地局(スモールセルとも呼ばれる)、中継局、アクセスポイント、および同様のものを含み得る。異なる無線アクセス技術を使用するシステムにおいて、基地局の機能を有するデバイスの名前は、異なり得る。たとえば、LTEシステムにおいて、デバイスは、進化型ノードB (英語: evolved NodeB、略してeNBまたはeNodeB)と呼ばれ、第3世代(英語: 3rd Generation、略して3G)システムにおいて、デバイスは、ノードB (英語: NodeB)と呼ばれ、将来の新しい無線(New Radio、NR)ネットワークにおいて、デバイスは、gNBと呼ばれる。説明の容易さのために、この出願のすべての実施形態において、UEのためにワイヤレス通信機能を提供するすべての装置は、基地局と呼ばれる。この出願の実施形態におけるUEは、端末であってもよく、具体的には、移動局(英語: Mobile Station、略してMS)、モバイル端末(英語: Mobile Terminal)、モバイル電話(英語: Mobile Telephone)、ハンドセット(英語: handset)、ポータブル機器(英語: portable equipment)、ワイヤレス通信機能を有するハンドヘルドデバイス、ワイヤレスモデムに接続されたコンピューティングデバイスまたは別の処理デバイス、車載デバイス、ウェアラブルデバイス、将来の新しい無線(New Radio、NR)ネットワークにおける端末デバイス、および同様のものを含むがこれらに限定されない。
【００４０】
アップリンクまたはダウンリンク伝送において、UEは、OFDM波形またはDFT-s-OFDM波形を使用することによって伝送を実行し得る。波形スケジューリングは、UEによってトリガされてもよく、またはネットワークデバイスによってトリガされてもよいが、両方の場合において、ネットワークデバイスが、UEに波形スケジューリングの結果を通知する必要がある。波形は、主に、UEが限定されたカバレッジ内にあるかどうかに依存して選択される。限定されたカバレッジは、以下の場合、すなわち、UEの信号伝送が伝搬損失によって深刻に影響されている、および、受信信号が比較的弱く、結果として、通信を維持することが難しい、または低レート通信のみが維持されることができる場合を含むがこれらに限定されない。言い換えると、波形は、主に、UEがネットワークデバイスと良好に通信することができるかどうかに依存して選択される。実現可能な方法は、以下の通りである。ネットワークデバイスが、UEのアップリンク伝送チャネルのチャネル品質を監視する。チャネル品質が閾値より低いとき、UEが限定されたカバレッジのシナリオにあると考えられてもよく、ネットワークデバイスがUEのためにDFT-s-OFDM波形をスケジューリングしてもよい。それと反対に、UEのチャネル品質が閾値より高いとき、UEが限定されたカバレッジのシナリオにないと考えられてもよく、ネットワークデバイスがUEのためにOFDM波形をスケジューリングしてもよい。もちろん、ネットワークデバイスは、UEが限定されたカバレッジのシナリオにあるかどうかを別の技術的手段を使用することによって決定してもよく、これはこの出願の実施形態において限定されない。
【００４１】
さらに、ネットワークデバイスは、さらに、スケジューリングされたアンテナポートをUEに通知する必要がある。このようにして、UEは、スケジューリングされたアンテナポートに対応する基準信号リソース要素マッピングパターンに基づいて対応するリソース要素において基準信号を送信または受信し得る。具体的には、UEは、UEのためにネットワークデバイスによってスケジューリングされた波形に基づいて対応するリソース要素において基準信号を送信または受信し得る。基準信号は、DMRS、チャネル状態情報-基準信号(英語: Channel State Information-Reference Signals、略してCSI-RS)、およびサウンディング基準信号(英語: Sounding Reference Signal、SRS)を含む。したがって、この出願の実施形態において、ネットワークデバイスは、UEがスケジューリングされた波形に基づいて基準信号を送信または受信することができるように、UEのためにスケジューリングされる波形およびアンテナポートをUEに通知する必要がある。これに基づいて、この出願の実施形態は、基準信号を伝送するための方法を提供する。図1は、方法の概略的なフローチャートである。図1に表されるように、方法は、以下のステップを含む。
【００４２】
ステップ101:ネットワークデバイスが、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報をUEに送信する。
【００４３】
波形は、OFDM波形またはDFT-s-OFDM波形を含み、アンテナポートは、基準信号を送信または受信するためにUEによって使用されるリソースマッピングパターンを示す。さらに、アンテナポートは、基準信号系列および／または直交符号のような情報を示す。リソースマッピングパターンは、時間周波数リソースにおける基準信号の位置を指し、基準信号系列は、基準信号を形成するために使用される系列を指し、直交符号は、符号分割多重が異なるアンテナポートの基準信号に対して実行されるときに異なるアンテナポートに適用される相互に直交する符号を指す。リソースマッピングパターンのシンボルにおいて、DFT-s-OFDM波形に対応する基準信号は、周波数領域において櫛形の形態でマッピングされ、OFDM波形に対応する基準信号は、DFT-s-OFDM波形がマッピングされないリソースにマッピングされる。周波数領域における櫛形のマッピングは、周波数領域における均等な離散したマッピングまたは周波数領域における等しい間隔でのマッピングを意味し、DFT-s-OFDM波形に対応する基準信号は、DFT-s-OFDM波形を使用することによって伝送される基準信号であり、OFDM波形に対応する基準信号は、OFDM波形を使用することによって伝送される基準信号である。
【００４４】
さらに、アンテナポートは、アンテナポート番号を使用することによって示され得る。アンテナポート番号は、論理的な概念であり、特定の基準信号リソースマッピングパターン、基準信号系列、または同様のものを使用することによって定義され得る。一般に、同じアンテナポートにおいて伝送されるデータおよび基準信号は、伝送プロセスにおいて同じチャネルを通ると考えられ得る。たとえば、アンテナポートiにおいて送信されるデータは、アンテナポートiにおいて送信される基準信号を使用することによって取得されたチャネル推定結果に基づいて復元され得る。
【００４５】
波形に関する情報、アンテナポートに関する情報、およびリソースブロックに関する情報は、異なるシグナリングに別々に追加されてUEに送信されてもよく、または同じシグナリングに追加されてUEに送信されてもよく、または2つの情報が、同じシグナリングに追加されてUEに送信されることが留意されるべきである。これは、ネットワークデバイスによるスケジューリングに基づいて決定される必要がある。たとえば、波形に関する情報のスケジューリング期間が、比較的長くてもよく、アンテナポートに関する情報およびリソースブロックに関する情報のスケジューリング期間が、比較的短くてもよい。したがって、アンテナポートに関する情報およびリソースブロックに関する情報は、同じシグナリングを使用することによって送信されてもよく、波形に関する情報が更新される必要があるとき、波形に関する情報が、シグナリングに追加される。
【００４６】
さらに、この出願のこの実施形態は、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を送信するための3つの方法を提供する。
【００４７】
第1の可能な設計において、ネットワークデバイスが、UEにダウンリンク制御情報(英語: Downlink control information、略してDCI)を送信する。ダウンリンク制御情報は、UEのためにスケジューリングされた波形およびUEのためにスケジューリングされたアンテナポートの番号を示す。具体的な方法が、単純な例を使用することによって説明され得る。たとえば、特定のフォーマットにおけるDCIは、複数のフィールドを含み、フィールドは、0または1のいくつかのビットを含む。フィールドは、特定の意味、たとえば、リソーススケジューリングおよび変調符号化方式を表現するために使用される。この出願のこの実施形態において、波形は、特定のフィールドを使用することによって表現され得る。たとえば、1つのビットが、波形を表現するために使用され、ここで第1の値(たとえば、0)が、OFDM波形を表現し、第2の値(たとえば、1)が、DFT-s-OFDM波形を表現する。依然としてさらに、アンテナポート番号が、同様のフィールドを使用することによって表現され得る。たとえば、「00」は、ポート0のみがスケジューリングされることを意味し、「01」は、ポート1のみがスケジューリングされることを意味し、「11」は、ポート0とポート1の両方がスケジューリングされることを意味する。UEは、波形を表現するために使用されるフィールド情報およびアンテナポートを表現するために使用されるフィールド情報を参照して、基準信号のリソースマッピングパターンを決定する。
【００４８】
第2の可能な設計において、UEのためにネットワークデバイスによってスケジューリングされた波形およびUEのためにネットワークデバイスによってスケジューリングされたアンテナポートの番号が、より高いレイヤのシグナリングに追加されてUEに送信され得る。たとえば、波形およびアンテナポート番号は、RRCシグナリングまたはMACシグナリングのようなシグナリングに追加される。MACフレームは、フレームヘッダ、制御要素(英語: Control Element、略してCE)、およびサービスデータユニット(英語: Service Data Unit、略してSDU)を含み得る。CEは、波形およびアンテナポート番号に関する情報を搬送するために使用され得る。具体的な形態は、第1の可能な設計におけるDCIを使用する形態と同様であり、詳細は再びここで説明されない。
【００４９】
加えて、より高いレイヤのシグナリングにおいて、選択された波形が、伝送モード(英語: Transmission Mode、略してTM)を使用することによって示され得る。表1は、この出願の実施形態による、伝送モードと波形の間の対応関係の表である。表1に表されるように、伝送モードが定義され、この伝送モードにおいて、アップリンクデータ伝送を実行するためにOFDMまたはDFT-s-OFDMのみが使用されることができる。UEによって使用される波形が変更される必要があるとき、ネットワークデバイスは、より高いレイヤのシグナリングを使用することによって、新しい波形を使用するようにUEに命令し得る。UEによって使用される波形がより高いレイヤのシグナリングを使用することによって更新される必要がないとき、DCIは、UEによって使用されるアンテナポートの番号のみを搬送するために使用され得る。
【００５０】
表1:この出願の実施形態による、伝送モードと波形の間の対応関係の表
【００５１】
【表１】
2020515111.tif 000003
【００５２】
第3の可能な設計において、1つの伝送モードが、複数の波形を示す。そして、伝送モードを受信した後、UEは、UEによって使用される波形が伝送モードに対応する複数の波形のうちの1つであると決定し得るが、UEは、さらに、どの具体的な波形が使用されるかを決定する必要がある。ネットワークデバイスは、DCIのフォーマットを使用することによって波形の種類を黙示的に示し得る。たとえば、第1のDCIフォーマットがOFDM波形に対応し、第2のDCIフォーマットがDFT-s-OFDM波形に対応すると仮定して、伝送モードを受信した後、UEは、波形の種類を決定するためにDCIを検出する。たとえば、代替的に、ネットワークデバイスは、データのリソースマッピングの形態を使用することによって波形の種類を黙示的に示し得る。たとえば、データのリソースマッピングの形態は、連続したリソースブロック(英語: Resource Block、略してRB)マッピングであり、それは、この場合におけるUEのためにネットワークデバイスによってスケジューリングされた波形がDFT-s-OFDM波形であることを示す。データのリソースマッピングの形態は、連続していないリソースブロックマッピングであり、それは、この場合におけるUEのためにネットワークデバイスによってスケジューリングされた波形がOFDM波形であることを示す。
【００５３】
特に、この解決策がダウンリンクに適用されるとき、UEによって使用される波形およびアンテナポートに加えて、MU-MIMOまたは動的な時分割複信(英語: Time Division Duplex、略してTDD)のシナリオにおいて、性能を改善するために、UEは、ペアにされたUEの波形およびアンテナポート番号を取得する必要があり得る。ペアにされたUEは、UEと同じ時間周波数リソース位置においてスケジューリングされた他のUEである。たとえば、合計で4つのUEが特定のリソースブロックにおいてスケジューリングされると仮定され、各UEが、1つのアンテナポートを占有する。UEが他のUEによって使用される波形およびアンテナポートの番号を取得することができるならば、それは、UEが干渉の推定および除去を実行することを助ける。たとえば、UEが逐次干渉除去方法を使用するならば、UEは、ペアにされたUEの信号によって生成される干渉を除去するために、ペアにされたUEの信号を復調してデコードする前に、ペアにされたUEの波形を取得する必要がある。別の例において、OFDM波形の基準信号構成の解決策は、DFT-s-OFDM波形の基準信号構成の解決策と異なり得る。UEは、ペアにされたUEからの干渉を除去するために、ペアにされたUEの基準信号を再構築し、チャネル推定を実行する前に、ペアにされたUEの波形を取得する必要がある。具体的には、以下の方法があり得る。ネットワークデバイスは、ペアにされたUEの波形および／またはアンテナポート番号をUEに送信されるDCIに追加する。代替的に、波形とアンテナポートの間の対応関係が、プロトコルを使用することによって合意される(またはより高いレイヤのシグナリングを使用することによってUEに通知される)。UEは、ペアにされたUEのアンテナポートを使用することによって、ペアにされたUEによって使用される波形を知り、波形に基づいてペアにされたUEの基準信号を再構築し、そしてチャネル推定を実行し得る。加えて、アンテナポートの数が制限され、UEが、ペアにされたUEのアンテナポートを取得するために、対応関係に基づいてアンテナポートを横断し得る。たとえば、合計で4つのアンテナポートがあると仮定して、最初の2つのポートがOFDM波形の基準信号を伝送するために常に使用され、後の2つのポートがD
FT-s-OFDM波形の基準信号を伝送するために常に使用されることが、プロトコルを使用することによって合意され得る(またはより高いレイヤのシグナリングを使用することによって通知され得る)。UEは、波形とアンテナポートの間の対応関係に基づいて干渉の推定および除去を実行し得る。
【００５４】
ステップ102:UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報に基づいてネットワークデバイスとUEの間で基準信号を伝送する。
【００５５】
基準信号伝送は、アップリンク伝送およびダウンリンク伝送を含み、以下は、アップリンク伝送およびダウンリンク伝送をさらに説明する。
【００５６】
ダウンリンク伝送において、ネットワークデバイスは、UEに基準信号を送信する。基準信号を受信した後、UEは、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報に基づいて基準信号を再構築する。
【００５７】
アップリンク伝送において、UEは、ネットワークデバイスに基準信号を送信する。基準信号は、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報に基づいてUEによって生成される。
【００５８】
さらに、アップリンク伝送またはダウンリンク伝送に関係なく、基準信号は、UEのためにネットワークデバイスによってスケジューリングされた時間周波数リソースにおいて搬送される。言い換えると、基準信号は、基準信号のリソースマッピングパターンの指示およびリソースブロックに関する情報に基づいて対応するリソース位置において送信または受信される必要がある。
【００５９】
この出願のこの実施形態において提供される基準信号を伝送するための方法は、OFDM波形とDFT-s-OFDM波形の両方に適用されるとき、周波数領域の櫛形の基準信号リソースマッピングパターンに基づく。この出願のこの実施形態において提供されるこの方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。5Gにおいて、OFDM波形およびDFT-s-OFDM波形がアップリンクにおいて使用され、2つの波形のために一様なDMRSが設計され、それによって、送信機または受信機は、再使用可能なモジュールの数を増やし、送信機および受信機の複雑さを低減することを助けるために、異なる波形を処理するときに同様のプロセスを使用する。加えて、この一様な設計において、システムは、2つのシグナリングの集合を冗長に設計する必要がなく、シグナリングのオーバーヘッドを低減するために、2つの波形のパラメータ情報が、1つのシグナリングを使用することによって伝送されることができる。
【００６０】
以下は、添付図面を参照して、基準信号を送信または受信するためにUEによって使用されるリソースマッピングパターンをさらに説明する。
【００６１】
基準信号を送信または受信するためにUEによって使用される既存のリソースマッピングパターンは、OFDM波形またはDFT-s-OFDM波形のいずれかのために設計され、2つの波形の両方が使用される場合に適さない。5Gのアップリンクにおいて、OFDM波形とDFT-s-OFDM波形の両方が使用される。したがって、基準信号を送信または受信するためにUEによって使用されるリソースマッピングパターンは、OFDM波形とDFT-s-OFDM波形の両方の要件を満たす必要がある。
【００６２】
図2は、スロットの概略的な構造図であり、図2aは、別のスロットの概略的な構造図である。図2または図2aに表されるように、スロットは、OFDM波形の複数のシンボルまたはDFT-s-OFDM波形の複数のシンボルを含む。OFDM波形のシンボルは、OFDM波形を使用するシンボルまたはOFDMシンボルであることが可能であり、DFT-s-OFDM波形のシンボルは、DFT-s-OFDM波形を使用するシンボルまたはDFT-s-OFDMシンボルであることが可能である。図1において、スロットは、7個のシンボルを含み、図2において、スロットは、14個のシンボルを含む。いくつかのシンボルは、データシンボルに設定され、データのみを伝送するために使用され、他のシンボルは、基準信号シンボルに設定され、DMRS、CSI-RS、またはSRSを伝送するために主に使用され、データが、シンボルにおいてさらに多重化され得る。図2および図2aにおけるスロット構造において、1つの基準信号シンボルがあるが、スロットはより多くの基準信号シンボルを含み得る。
【００６３】
上述のスロット構造に基づいて、時間周波数リソースのグリッド構造が、さらに取得され得る。たとえば、OFDM波形およびDFT-s-OFDM波形のために、連続した時間領域信号が、いくつかの時間周波数リソースグリッドに分割され得る。時間周波数リソースグリッドにおいて、時間領域リソースの最小単位は、シンボルであり、周波数領域リソースの最小単位は、サブキャリアである。スケジューリングプロセスにおいて、最小のスケジューリングの粒度は、L個のシンボルおよびK個のサブキャリアを含むリソースブロックである。LおよびKは、1より大きい正の整数である。図3は、時間周波数リソースのグリッド構造の概略図である。図3に表されるように、リソースブロックkは、14個のシンボルおよび12個のサブキャリアを含む。
【００６４】
この出願のこの実施形態において提供されるOFDMとDFT-s-OFDMの両方に適用可能なDMRSを送信および受信するための方法は、上述のスロット構造および時間周波数リソースのグリッド構造に適用され、基準信号に対するOFDM波形およびDFT-s-OFDM波形の異なる要件を満たし得る。以下は、1つのリソースブロックを例として使用することによってこの出願のこの実施形態をさらに説明する。
【００６５】
1つのリソースブロックにおいて、(アンテナポートmと印を付けられた)アンテナポートについて、OFDM波形およびDFT-s-OFDM波形に対応する両方の基準信号が、周波数領域において均等にマッピングされる。図4は、単一のアンテナポートの基準信号のリソースマッピングパターンの概略図である。図4に表されるように、アンテナポートmの基準信号は、リソース要素の集合p、つまり、図4においてpと印を付けられたすべてのリソース要素にマッピングされる。リソース要素の集合p+1は、リソースマッピングパターン内のp+1と印を付けられたすべてのリソース要素を指す、などして、リソース要素の集合p+2またはさらなるリソース要素の集合を取得する。
【００６６】
複数のアンテナポートが同時に基準信号を伝送するために使用される(たとえば、アンテナポートmおよびアンテナポートm+1が同時に基準信号を伝送するために使用される)とき、異なるアンテナポートが、同じ時間周波数リソースを占有し得る。たとえば、図4において、アンテナポートmおよびアンテナポートm+1は、基準信号を伝送するために時間周波数位置の集合pを共有し得る。同じ時間周波数位置を占有する異なるアンテナポートの基準信号は、符号分割多重を通じて直交化される。異なるアンテナポートは、代替的に、異なる時間周波数リソースを占有し得るが、基準信号は、周波数領域において均等にマッピングされる。図5は、2つのアンテナポートの基準信号のリソースマッピングパターンの概略図である。図5に表されるように、アンテナポートmの基準信号は、リソース要素の集合pにマッピングされ、アンテナポートm+1の基準信号は、リソース要素の集合p+1にマッピングされる。このようにして、アンテナポートmの基準信号およびアンテナポートm+1の基準信号は、周波数分割多重を通じて直交化される。
【００６７】
図6は、DFT-s-OFDM波形の基準信号のリソースマッピングパターンの概略図である。図6に表されるように、スケジューリングされた波形がDFT-s-OFDM波形であるとき、UEに割り当てられるリソースブロックは、周波数領域において連続している。言い換えると、DFT-s-OFDM波形の基準シンボルは、周波数領域において1つのリソースブロックに、たとえば、図4における基準信号リソース要素の集合pに均等にマッピングされる。基準信号が複数のリソースブロックにマッピングされるとき、複数のリソースブロックは、連続したリソースブロック、たとえば、図6に表されるリソースブロックkおよびリソースブロックk+1である必要がある。この場合、基準信号の系列は、時間領域の低PAPR系列、たとえば、ZC系列またはCGSであり得る。低PAPR系列は、系列のPAPRがDFT-s-OFDM波形の、四位相偏移変調(英語: Quadrature Phase Shift Keying、略してQPSK)を通じて変調されたシンボルのPAPRにほぼ等しいことを意味することが留意されるべきである。
【００６８】
図7は、周波数領域における低PAPR系列の連続したマッピングおよび離散したマッピングの間の時間領域波形の概略図である。図7に表されるように、基準信号の系列がSiであり、ここでiが系列インデックスであると仮定される。Siが周波数領域において連続的にマッピングされるとき、Siに対応する時間領域波形は、s(t)である。s(t)が低PAPR波形であることが、図7から知られ得る。Siが周波数領域においてN個のサブキャリアの間隔で均等に離散的にマッピングされるとき、Siに対応する時間領域波形は、s(Nt)である。s(Nt)も低PAPR波形であることが、図7から知られ得る。したがって、DFT-s-OFDM波形の、低PAPR系列を使用する基準信号が周波数領域において均等に離散的にマッピングされるとき、低PAPR特性が、依然として達成されることができる。
【００６９】
図8は、OFDM波形の基準信号の概略的なマッピングの図である。図8に表されるように、UEのためにスケジューリングされた波形がOFDM波形であるとき、UEに割り当てられるリソースブロックは、周波数領域において連続し、または離散していることが可能である。基準信号系列は、低PAPR系列であってもよく、または低PAPR系列でなくてもよい。加えて、波形がOFDM波形であるとき、周波数分割多重が、基準信号およびデータに対して実行され得る。言い換えると、波形がOFDM波形であるとき、図8における灰色のリソース要素が別のアンテナポートの基準信号によって占有されないならば、データが挿入され得る。しかし、波形がDFT-s-OFDMであるとき、データは、いずれの瞬間においても図8における灰色のリソース要素に挿入されることができず、データが挿入されるならば、DFT-s-OFDMの低PAPR特性が損なわれ、結果として、DFT-s-OFDM波形のシングルキャリア性能が著しく低下する。
【００７０】
上記で説明されたように、OFDM波形に対応する基準信号およびDFT-s-OFDM波形に対応する基準信号は、同じ低PAPR系列(たとえば、ZC系列またはCGS)を使用してもよく、または異なる系列を使用してもよい(DFT-s-OFDMは、時間領域の低PAPR系列を依然として使用する)。単一のリソースブロックにおけるチャネル推定方法は波形の種類に無関係であるので、2つの波形が同じ系列を使用するならば、基準信号系列が知られているとき、受信端は、干渉除去を容易にするために、干渉する波形を知ることなく基準信号系列のチャネルを直接推定することができる。2つの波形が異なる基準信号系列を使用するならば、受信端は、グラントフリー(英語: grant-free)アクセスのデータ復調を容易にするために、波形を決定するために基準信号系列についてブラインド検出を実行し得る。したがって、2つの構成は、それらのそれぞれの応用シナリオを有する。
【００７１】
したがって、UEがDFT-s-OFDM波形を使用するとき、この出願のこの実施形態において提供される方法によれば、基準信号の送信が波形の低PAPR特性を損なわないことが、保証されることができる。ユーザがOFDM波形を使用するとき、この方法によれば、基準信号およびデータについての多重化が、保証されることができる。
【００７２】
加えて、この方法によれば、1つの周波数領域リソースブロック内の複数の直交するアンテナポートの間で区別し、周波数領域のスケジューリングの粒度を低減し、MIMOのペアリングの柔軟性を改善するために、複数のアンテナポートがサポートされ得る。言い換えると、アンテナポートが1つのリソースブロック内で直交化され、それによって、「連続した対称なリソース」の以前の制約はもはや存在せず、柔軟性が改善される。
【００７３】
以下は、UEのために基地局によってスケジューリングされた基準信号リソースマッピングパターンを例として使用することによってこの出願の実施形態をさらに説明する。
【００７４】
実施形態1
この実施形態は、同じ時間周波数リソースにおいてアップリンク伝送を実行するために基地局がUE 1とUE 2の両方をスケジューリングする例を使用することによってこの出願のこの実施形態における基準信号のリソースマッピングパターンを詳細に説明する。UE 1は、DFT-s-OFDM波形を使用し、UE 2は、OFDM波形を使用する。基地局は、異なる目的のためにこの動作を実行し得る。たとえば、以下の通りである。
【００７５】
アップリンクMU-MIMOのシナリオにおいて、基地局が、セルのスループットを増やすために、2つのUEを同時にスケジューリングする。一般に、2つのUEのチャネルは、比較的低い相関を有し、直交プリコーディングが、伝送の間に使用され得る。
【００７６】
非直交複数アクセスのシナリオにおいて、2つのUEの信号が、重なる形態で送信され得る。このシナリオにおいて、2つのUEのチャネルは、低い相関を有する必要がなく、2つのUEのデータは、非線形受信機を使用することによって復元されることができる。
【００７７】
複数セルの共同または非共同スケジューリングのシナリオにおいて、2つのUEは、隣接セルにおいて同じ時間周波数リソースにおいてスケジューリングされ、2つのUEは、異なる波形を使用する。性能を改善するために、通常、干渉抑圧能力を有する受信機、たとえば、干渉抑圧合成(英語: Interference Rejection Combining、略してIRC)受信機または逐次干渉除去(英語: Successive Interference Cancellation、略してSIC)受信機が、使用され得る。
【００７８】
図9は、この出願の実施形態によるUE 1およびUE 2の基準信号のリソースマッピングパターンの概略図である。図9に表されるように、UE 1は、基準信号リソース要素の集合pを占有し、UE 2は、基準信号リソース要素の集合p+2を占有する。UE 1の基準信号はリソース要素の集合pにマッピングされ、リソース要素の集合pは周波数領域において櫛形であることが、知られ得る。加えて、図9は、3つの連続したリソースブロック(英語: Resource Block、略してRB)を表す。UE 1は、3つの連続したRBにおいてスケジューリングされ、UE 1の基準信号は、均等な間隔で3つの連続したRBの周波数領域リソースを占有する。UE 1の基準信号の系列は、時間領域の低PAPR系列であり、系列が均等な間隔でマッピングされた後に、系列は、依然として、時間領域において低いPAPRを有する。UE 2は、リソースブロックkおよびリソースブロックk+2においてスケジューリングされ、UE 2の基準信号は、2つのリソースブロックにおけるリソース要素の集合p+2を占有し、UE 2の基準信号は、UE 2のためにスケジューリングされないリソースブロック(つまり、リソースブロックk+1)において送信されない。
【００７９】
実施形態2
この実施形態において、DFT-s-OFDM波形を使用する複数のUEがスケジューリングされるとき、UEの基準信号が、符号分割多重を通じて直交化される。
【００８０】
図10は、この出願の実施形態によるUE 1、UE 2、およびUE 3の基準信号のリソースマッピングパターンの概略図である。図10に表されるように、基地局は、3つのUEを同時にスケジューリングする。UE 1およびUE 3は、DFT-s-OFDM波形を使用し、UE 2は、OFDM波形を使用する。UE 1およびUE 3のスケジューリングされたリソースは、完全に重なり、UE 1およびUE 3の基準信号が配置されるリソース要素、たとえば、図10においてpと印を付けられたすべてのリソース要素は、完全に重なり得る。UE 1およびUE 3の基準信号はリソース要素の集合pにマッピングされ、リソース要素の集合pは周波数領域において櫛形であることが、知られ得る。加えて、UE 1およびUE 3は、符号分割直交化を実現するために異なる基準信号系列を使用する。たとえば、UE 1およびUE 3は、同じZC系列の異なる巡回シフトを通じて生成された直交系列を使用し、それによって、受信端は、UE 1およびUE 3のチャネルを別々に推定することができる。この実施形態において提供される方法によれば、DFT-s-OFDM波形を使用するUEが、同じリソース要素の集合において基準信号を伝送することができ、それによって、多重化におけるUEの数が、増やされることができる。
【００８１】
実施形態3
この実施形態において、DFT-s-OFDM波形を使用する複数のUEがスケジューリングされるとき、UEのアンテナポートが、ブロック毎(英語: Block-wise)の符号分割多重を通じて直交化される。具体的には、DFT-s-OFDM波形が使用されるとき、ネットワークデバイスによるスケジューリングの最小の周波数領域リソースの粒度が、blockとして定義される。blockは、1つのリソースブロックであってもよく、または複数のリソースブロックであってもよい。各blockにおけるUEの基準信号系列の部分系列は、時間領域の低PAPR系列であり得る。DFT-s-OFDM波形を使用する複数のUEがMU-MIMOを実現する必要があるとき、UEの周波数領域リソースは、完全に対称である必要がないが、各block内の異なるUEの周波数領域リソースは、対称である。したがって、異なるUEに対応する部分系列が、符号分割多重を通じて直交化されることができる。
【００８２】
図11は、この出願の実施形態によるUE 1、UE 2、およびUE 3の基準信号のリソースマッピングパターンの概略図である。図11に表されるように、基地局は、3つのUEを同時にスケジューリングする。UE 1、UE 2、およびUE 3は、DFT-s-OFDM波形を使用する。UE 1の基準信号はリソース要素の集合pにマッピングされ、リソース要素の集合pは周波数領域において櫛形であることが、知られ得る。UE 2の基準信号は、リソースブロックk内のpと印を付けられたリソース要素にマッピングされ、リソース要素は、また、櫛形である。UE 3は、同様である。blockはリソースブロックであると仮定する。図11は、3つのリソースブロック、つまり、3つのblockを表す。UE 1は、3つのblockを占有し、UE 1の基準信号の系列は、3つの部分系列(たとえば、部分系列1、部分系列2、および部分系列3)を含む。UE 2およびUE 3の各々は、1つのblockのみを占有し、UE 2およびUE 3の各々の基準信号の系列は、1つの部分系列のみを含む。リソースブロックkにおいて、UE 1の部分系列1およびUE 2の基準信号の系列が、符号分割多重を通じて直交化される。リソースブロックk+1において、UE 1の部分系列2およびUE 3の基準信号の系列が、符号分割多重を通じて直交化される。
【００８３】
実施形態2と異なり、この実施形態において、UE 1およびUE 2によって占有されるリソースが、部分的に重なり、UE 1およびUE 3によって占有されるリソースが、部分的に重なる。DFT-s-OFDM波形を使用し、周波数領域リソースが非対称であるUEは、block-wiseの符号分割多重を通じて、同じリソース要素の集合を使用することによって基準信号を送信することができる。
【００８４】
実施形態4
この出願が、受信端によるチャネル推定の観点からこの実施形態においてさらに説明される。
【００８５】
図12は、この出願の実施形態によるUE 1およびUE 2の基準信号のリソースマッピングパターンの概略図である。図12に表されるように、UE 1は、DFT-s-OFDM波形を使用し、リソース要素の集合pを使用することによって基準信号を伝送し、UE 2は、OFDM波形を使用し、リソース要素の集合p+2を使用することによって基準信号を伝送する。UE 1の基準信号はリソース要素の集合pにマッピングされ、リソース要素の集合pは周波数領域において櫛形であることが、知られ得る。UE 1およびUE 2の各々は、複数の連続した周波数領域リソースブロックを占有する。DFT-s-OFDM波形を使用するUE 1について、受信端は、複数のリソースブロックについて共同チャネル推定を実行する。OFDM波形を使用するUE 2について、シグナリングを使用することによって通知されなければ、受信端は、リソースブロックについて別々のチャネル推定を1つずつ実行する。
【００８６】
この実施形態は、以下のシナリオに適用され得る。OFDM波形を使用するUEが、リソースブロックを粒度として使用することによってプリコーディングを実行し得る。これは、チャネルの周波数領域の連続性を損ない得る。結果として、OFDM波形を使用するUEのチャネルは、多くの場合、連続していない。波形の低PAPR特性を維持するために、DFT-s-OFDM波形を使用するUEは、チャネルの周波数領域の連続性を維持するために、全体の周波数帯域において同じプリコーディング行列を使用する。
【００８７】
実施形態5
この出願が、可変密度の基準信号リソースマッピングの観点からこの実施形態においてさらに説明される。
【００８８】
まず、SIMOのシナリオ、つまり、(アンテナポートmと印を付けられた)単一アンテナポートを使用する伝送が考えられる。アンテナポートmが、リソース要素の集合pにおいて基準信号を伝送するために依然として使用される。しかし、チャネル状況または伝送負荷のような要因に依存して、基準信号リソースマッピングは、周波数領域において異なる密度を有し得る。密度は、すべての周波数領域リソースに対する基準信号によって占有される周波数領域リソースの比を意味する。
【００８９】
図13は、異なる密度を有する基準信号のリソースマッピングパターンの概略図である。ユーザがOFDM波形を使用し、チャネル品質が比較的高いとき、図13における(3)に表されるように、比較的低い基準信号密度が使用され得る。この場合、基準信号のオーバーヘッドを低減するために、基準信号がマッピングされるリソース要素の間のリソース要素にデータシンボルが挿入され得る。図13における(1)に表されるように、リソース要素の集合pは、離散的にではなく均等に分配されるが、リソース要素の集合pは、DFT-s-OFDM波形およびOFDM波形の要件を依然として満たすことができることが留意されるべきである。
【００９０】
MIMOのシナリオにおいて、基準信号を伝送するために複数のアンテナポートが使用される。複数のアンテナポートが、異なる密度を有する基準信号リソースマッピングを使用することが可能であり、基準信号が、周波数分割を通じて依然として直交化されることができる。図14は、この出願の実施形態による複数のMIMOのシナリオにおける基準信号リソースマッピングの概略図である。いずれのアンテナポートも、OFDM波形またはDFT-s-OFDM波形を使用し得る。図14における基準信号リソース要素の集合pおよびp+1における基準信号は、周波数領域において直交する。リソース要素の集合p、p+1、p+2、およびp+3は周波数領域において櫛形であることが、図14から知られ得る。
【００９１】
実施形態6
この実施形態において、DFT-s-OFDM波形およびOFDM波形に対応する基準信号を多重化するための方法を説明するために例が与えられる。OFDM波形が第1の数のアンテナポートに対応するとき、第1の数のアンテナポートを通じて伝送される基準信号は、直交符号を使用することによって周波数領域において直交化される。第1の数は、1より大きい正の整数である。DFT-s-OFDM波形が第2の数のアンテナポートに対応するとき、第2の数のアンテナポートを通じて伝送される基準信号は、直交符号を使用することによって周波数領域において直交化される。第2の数は、1より大きい正の整数である。OFDM波形に対応するアンテナポートは、OFDM波形を使用することによって基準信号を伝送するために使用されるアンテナポートであり、DFT-s-OFDM波形に対応するアンテナポートは、DFT-s-OFDM波形を使用することによって基準信号を伝送するために使用されるアンテナポートである。
【００９２】
図15は、この出願の実施形態による、基準信号のリソースマッピングパターンの概略図である。リソース要素の集合p+1およびp+2は、周波数領域において櫛形であり、各々が1つのアンテナポートに対応し得る。リソース要素の集合p+1およびp+2は、DFT-s-OFDM波形を使用することによって基準信号を送信または受信するUEにスケジューリングされる。リソース要素の集合pは、OFDM波形を使用することによって基準信号を送信または受信するUEにスケジューリングされる。リソース要素の集合pは、各々が周波数領域において2つの連続したサブキャリアを含む複数の基本単位を含む。特に、基準信号は、2つの連続したサブキャリアを含む基本単位において、直交符号を使用することによって直交化されることが可能であり、それによって、2つの連続したサブキャリアを含む基本単位における基準信号は、互いに干渉しない。具体的には、s1およびs2が2つの連続したサブキャリアにおける基準信号であると仮定して、基準信号シンボルが、直交符号{[1 1], [1 -1]}を使用することによって直交化され得る。そして、1つのアンテナポートに対応する直交符号は、[1 1]であり、直交化の後に取得される2つのシンボルは、依然としてs1およびs2であり、別のアンテナポートの直交符号は、[1 -1]であり、直交化の後に取得される2つのシンボルは、s1および-s2である。このようにして、2つの異なる直交符号を参照して、リソース要素の集合pが、使用のために2つのアンテナポートに割り当てられることができ、2つのアンテナポートを通じて伝送される基準信号は、互いに干渉しない。したがって、2つのアンテナポートが、使用のために異なるUEのためにスケジューリングされることができる。たとえば、ネットワークデバイスは、UEのためにネットワークデバイスによってスケジューリングされた第1のアンテナポートに関する情報を第1のUEに送信し、第2のアンテナポートに関する情報を第2のUEに送信し、第3のアンテナポートに関する情報を第3のUEに送信し、第4のアンテナポートに関する情報を第4のUEに送信する。第1のアンテナポートによって示されるリソースマッピングパターン内の、第1のUEの基準信号を伝送するために使用されるリソースは、図15におけるリソース要素の集合p+
1であり、第2のアンテナポートによって示されるリソースマッピングパターン内の、第2のUEの基準信号を伝送するために使用されるリソースは、図15におけるリソース要素の集合p+2であり、第3のアンテナポートによって示されるリソースマッピングパターン内の、第3のUEの基準信号を伝送するために使用されるリソースは、図15におけるリソース要素の集合pであり、第4のアンテナポートによって示されるリソースマッピングパターン内の、第4のUEの基準信号を伝送するために使用されるリソースは、図15におけるリソース要素の集合pであり、第3のアンテナポートおよび第4のアンテナポートは、直交符号を使用することによって直交化される。
【００９３】
この実施形態において、DFT-s-OFDM波形の基準信号が2つのアンテナポートに対応し、OFDM波形の基準信号が2の長さを有する直交符号に対応することは、例として使用されることが留意されるべきである。DFT-s-OFDM波形の基準信号は、より多いまたはより少ないアンテナポートに対応することが可能であり、OFDM波形の基準信号は、より長いまたはより短い直交符号に対応することが可能である。具体的には、上述の説明におけるそれと同じまたは同様の方法が、設計のために使用され得る。たとえば、リソース要素の集合p+2は、櫛形の構造であり、DFT-s-OFDM波形に対応する基準信号のためにスケジューリングされ得る。リソース要素の集合pおよびp+1は、OFDM波形の基準信号を伝送するために使用される。この場合、1つのリソースブロックにおいて、DFT-s-OFDM波形の基準信号は、1つのアンテナポートに対応し、OFDM波形の基準信号に対応する直交符号は、3の長さを有する。さらに、複数のリソースブロックのリソースマッピングパターンが、同じまたは同様の設計方法を使用することによって設計され得る。
【００９４】
実施形態7
この実施形態において、DFT-s-OFDM波形およびOFDM波形に対応する基準信号を多重化するための方法を説明するために例が与えられる。ネットワークデバイスが、任意のアンテナポートのためにいずれかの波形を構成し得る。OFDM波形に対応する基準信号は、周波数領域において櫛形の形態でマッピングされる。代替的に、OFDM波形に対応する基準信号が周波数領域においてマッピングされる形態は、DFT-s-OFDM波形に対応する基準信号が周波数領域においてマッピングされる形態と同じである。ここでの「同じ」は、OFDM波形に対応する基準信号がマッピングされるリソース要素の配列形態が、DFT-s-OFDM波形に対応する基準信号がマッピングされるリソース要素の配列形態と同じであることを意味する。しかし、周波数領域において、具体的には2つの基準信号によって占有されるリソース要素の間に、平行移動が存在し得る。OFDM波形が第1の数のアンテナポートに対応するとき、第1の数のアンテナポートを通じて伝送される基準信号は、直交符号を使用することによって周波数領域において直交化される。第1の数は、1より大きい正の整数である。DFT-s-OFDM波形が第2の数のアンテナポートに対応するとき、第2の数のアンテナポートを通じて伝送される基準信号は、直交符号を使用することによって周波数領域において直交化される。第2の数は、1より大きい正の整数である。OFDM波形に対応するアンテナポートは、OFDM波形を使用することによって基準信号を伝送するために使用されるアンテナポートであり、DFT-s-OFDM波形に対応するアンテナポートは、DFT-s-OFDM波形を使用することによって基準信号を伝送するために使用されるアンテナポートである。
【００９５】
図16は、この出願の実施形態による、基準信号のリソースマッピングパターンの概略図である。図16に表されるように、リソース要素の集合pおよびp+1の各々は、1/2の密度を有する櫛形の構造である。特に、リソース要素の集合pおよびp+1において伝送される2つの基準信号は、各々が2の長さを有する(別の長さ、たとえば、3の長さであってもよい)直交符号を使用することによって直交化される。たとえば、リソース要素の集合p内のどの2つのリソース要素も、1つの基本単位として直交化され、したがって、リソース要素の集合pは、3つの基本単位に分割され得る。実施形態6とは異なり、この実施形態において、直交化のための2つのサブキャリアは、周波数領域において連続していない。直交符号および直交化方法は、実施形態6におけるそれらと同じであり、詳細は、再びここで説明されない。リソース要素の集合pおよびp+1および2つの異なる直交符号が、使用のために4つのアンテナポートに割り当てられ得る。たとえば、ネットワークデバイスは、UEのためにネットワークデバイスによってスケジューリングされた第1のアンテナポートに関する情報を第1のUEに送信し、第2のアンテナポートに関する情報を第2のUEに送信し、第3のアンテナポートに関する情報を第3のUEに送信し、第4のアンテナポートに関する情報を第4のUEに送信する。第1のアンテナポートによって示されるリソースマッピングパターン内の、第1のUEの基準信号を伝送するために使用されるリソースは、図16におけるリソース要素の集合pであり、第2のアンテナポートによって示されるリソースマッピングパターン内の、第2のUEの基準信号を伝送するために使用されるリソースは、図16におけるリソース要素の集合pであり、第3のアンテナポートによって示されるリソースマッピングパターン内の、第3のUEの基準信号を伝送するために使用されるリソースは、図16におけるリソース要素の集合p+1であり、第4のアンテナポートによって示されるリソースマッピングパターン内の、第4のUEの基準信号を伝送するために使用されるリソースは、図16におけるリソース要素の集合p+1であり、第1のアンテナポートおよび第2のアンテナポートは、第1の直交符号を使用することによって直交化され、第3のアンテナポートおよび第4のアンテナポー
トは、第2の直交符号を使用することによって直交化される。
【００９６】
同様に、この実施形態において、リソース要素の集合が1/2の密度を有する櫛形の構造であることは例として使用され、この実施形態において開示される方法が他の密度にも適用可能であることが留意されるべきである。各リソース要素の集合の密度が1/nであるとき、リソース要素の集合p、p+1、...、p+(n-1)が取得されることができる。各リソース要素の集合は、m個のリソース要素を含み、mの長さを有する直交化が、m個のリソース要素に対して実行され得る。たとえば、図14における4ポート構成1を例として使用して、この場合、3の長さを有する直交化がリソース要素の集合pに対して実行されるならば、リソース要素の集合pが、使用のために3つのアンテナポートに割り当てられ得る。この場合、4ポート構成は、6ポート構成に拡張され得る。この場合、3の長さを有する直交化がリソース要素の集合p+1に対してさらに実行されるならば、この場合におけるアンテナポート構成は、8ポート構成にさらに拡張され得る。1つのリソースブロックにおいて基準シンボルによってサポートされるUEの数を増やすために、異なるポートが、使用のために異なるUEのためにスケジューリングされ得る。
【００９７】
この出願のこの実施形態において、1つのリソースブロックはより多いまたはより少ないシンボルおよびサブキャリアを含み得ることが留意されるべきである。したがって、上述の説明におけるそれと同じまたは同様の設計による、この出願において提供される方法は、別の数のシンボルまたはサブキャリアを含むリソースブロックにさらに適用され得る。
【００９８】
この出願のこの実施形態において提供される方法は、マルチキャリア波形(たとえば、フィルタ・バンク・マルチキャリア(英語: Filter Bank Multicarrier、略してFBMC)波形)およびシングルキャリア波形(たとえば、ユニーク・ワード(英語: Unique Word、略してUW)-DFT-s-OFDM波形)の別の組み合わせにも適用され得ることが留意されるべきである。具体的な詳細について、上述の実施形態を参照されたく、詳細は再びここで説明されない。
【００９９】
この出願において提供される上述の実施形態において、この出願の実施形態において提供される基準信号および関連するシグナリングを伝送するための方法が、ネットワークデバイスおよびUEの観点から説明されている。上述の機能を実現するために、UEおよびネットワークデバイスの各々は、機能を実行するための対応するハードウェア構造および／またはソフトウェアモジュールを含むことが理解され得る。この技術分野の当業者は、この明細書において開示された実施形態において説明された例におけるユニットおよびアルゴリズムのステップを参照して、この出願がハードウェアまたはハードウェアとコンピュータソフトウェアの組み合わせによって実現され得ることに容易に気付くはずである。機能がハードウェアによって実行されるか、またはコンピュータソフトウェアによって駆動されるハードウェアによって実行されるかは、特定の応用、および技術的解決策の設計の制約に依存する。この技術分野の当業者は、異なる方法を使用して、説明された機能を各々の特定の応用のために実現し得るが、実装は、この出願の範囲を超えると考えられるべきでない。
【０１００】
図17は、この出願の実施形態による、ネットワークデバイスの可能な概略的な構造図である。図17に表されるネットワークデバイスは、トランシーバ1701およびコントローラ／プロセッサ1702を含む。トランシーバ1701は、上述の実施形態においてUEから情報を受信し、UEに情報を送信する際にネットワークデバイスを支援し、他のUEとの無線通信を実行する際にUEを支援するように構成され得る。コントローラ／プロセッサ1702は、UEまたは別のネットワークデバイスとの通信のための様々な機能を実行するように構成され得る。アップリンクにおいて、UEからのアップリンク信号は、アンテナを通じて受信され、トランシーバ1701によって復調され、UEによって送信されるサービスデータおよびシグナリング情報を復元するためにコントローラ／プロセッサ1702によってさらに処理される。ダウンリンクにおいて、サービスデータおよびシグナリングメッセージは、ダウンリンク信号を生成するためにコントローラ／プロセッサ1702によって処理され、トランシーバ1701によって変調され、ダウンリンク信号は、アンテナを通じてUEに伝送される。具体的には、トランシーバ1701は、UEに、UEのためにスケジューリングされた波形に関する情報、UEのためにスケジューリングされたアンテナポートに関する情報、およびUEのためにスケジューリングされたリソースブロックに関する情報を送信するように構成され、UEとの基準信号伝送のために構成される。コントローラ／プロセッサ1702は、UEのためにスケジューリングされた波形に関する情報、UEのためにスケジューリングされたアンテナポートに関する情報、およびUEのためにスケジューリングされたリソースブロックに関する情報を生成するように構成され得る。波形は、OFDM波形またはDFT-s-OFDM波形を含み、アンテナポートは、基準信号を送信または受信するためにUEによって使用されるリソースマッピングパターンを示す。さらに、アンテナポートは、基準信号系列および／または直交符号のような情報を示す。リソースマッピングパターンは、時間周波数リソースにおける基準信号の位置を指し、基準信号系列は、基準信号を形成するために使用される系列を指し、直交符号は、符号分割多重が異なるアンテナポートの基準信号に対して実行される
ときに異なるアンテナポートに適用される相互に直交する符号を指す。リソースマッピングパターンのシンボルにおいて、DFT-s-OFDM波形に対応する基準信号は、周波数領域において櫛形の形態でマッピングされ、OFDM波形に対応する基準信号は、DFT-s-OFDM波形がマッピングされないリソースにマッピングされる。周波数領域における櫛形のマッピングは、周波数領域における均等な離散したマッピングを意味する。UEによって使用されるリソースマッピングパターンは、上記で説明されたいずれか1つであり得る。関連する詳細について、上述の方法の実施形態を参照されたく、詳細は再びここで説明されない。
【０１０１】
図17は、ネットワークデバイスの単純化された設計のみを表すことが理解され得る。実際の応用において、ネットワークデバイスは、任意の数の送信機、受信機、プロセッサ、コントローラ、メモリ、通信ユニット、および同様のものを含み得る。この出願を実現することができるすべてのネットワークデバイスは、この出願の保護範囲内に入る。
【０１０２】
図18は、この出願の実施形態による、UEの可能な設計構造の単純化された概略図である。UEは、上記で説明されたUEのうちの1つであり得る。UEは、トランシーバ1801およびコントローラ／プロセッサ1802を含み、メモリ1803およびモデムプロセッサ1804をさらに含み得る。
【０１０３】
トランシーバ1801は、出力サンプルを調整し(たとえば、出力サンプルに対して、アナログ変換、フィルタリング、増幅、およびアップコンバートを実行し)、アップリンク信号を生成する。アップリンク信号は、アンテナを通じて上述の実施形態における基地局に伝送される。ダウンリンクにおいて、アンテナは、上述の実施形態における基地局によって伝送されたダウンリンク信号を受信する。トランシーバ1801は、アンテナから受信された信号を調整し(たとえば、アンテナから受信された信号に対して、フィルタリング、増幅、ダウンコンバート、およびデジタル化を実行し)、入力サンプルを提供する。モデムプロセッサ1804において、エンコーダ18041は、アップリンクにおいて送信されるべきサービスデータおよびシグナリングメッセージを受信し、サービスデータおよびシグナリングメッセージを処理する(たとえば、フォーマットし、エンコードし、インターリーブする)。変調器18042は、さらに、エンコードされたサービスデータおよびシグナリングメッセージを処理し(たとえば、エンコードされたサービスデータおよびシグナリングメッセージに対して、シンボルマッピングおよび変調を実行し)、出力サンプルを提供する。復調器18044は、入力サンプルを処理し(たとえば、復調し)、シンボル推定を提供する。デコーダ18043は、シンボル推定を処理し(たとえば、デインターリーブし、デコードし)、UEに送信されるべきデコードされたデータおよびデコードされたシグナリングメッセージを提供する。エンコーダ18041、変調器18042、復調器18044、およびデコーダ18043は、統合されたモデムプロセッサ1804を使用することによって実現され得る。ユニットは、無線アクセスネットワークによって使用される無線アクセス技術(たとえば、LTEおよび別の進化型システムのアクセス技術)に基づいて処理を実行する。
【０１０４】
コントローラ／プロセッサ1802は、UEのアクションを制御および管理し、上述の実施形態におけるUEによって実行される処理、たとえば、基準信号の再構成、および干渉の推定および除去を実行するように構成される。関連する詳細について、上述の方法の実施形態を参照されたく、詳細は再びここで説明されない。トランシーバ1801は、ネットワークデバイスによって送信される波形に関する情報、アンテナポートに関する情報、およびリソースブロックに関する情報を受信するように構成され、ネットワークデバイスとの基準信号伝送のために構成される。
【０１０５】
この出願における基地局またはUEの機能を実行するように構成されたコントローラ／プロセッサは、中央処理ユニット(CPU)、汎用プロセッサ、デジタル信号プロセッサ(DSP)、特定用途向け集積回路(ASIC)、フィールド・プログラマブル・ゲート・アレイ(FPGA)または別のプログラマブル論理デバイス、トランジスタ論理デバイス、ハードウェア構成要素、またはそれらの任意の組み合わせであり得る。コントローラ／プロセッサは、この出願において開示された内容を参照して説明された様々な例示の論理ブロック、モジュール、および回路を実現または実行し得る。代替的に、プロセッサは、コンピューティング機能を実現するプロセッサの組み合わせ、たとえば、1つ以上のマイクロプロセッサの組み合わせ、またはDSPとマイクロプロセッサの組み合わせであり得る。
【０１０６】
この出願の実施形態におけるプロセッサは、処理モジュールを使用することによって実現されることが可能であり、トランシーバは、トランシーバモジュールを使用することによって実現されることが可能であることが理解されるべきである。
【０１０７】
この出願において開示された内容を参照して説明された方法またはアルゴリズムのステップは、ハードウェアによって実現されてもよく、またはソフトウェア命令を実行することによってプロセッサによって実現されてもよい。ソフトウェア命令は、対応するソフトウェアモジュールによって形成され得る。ソフトウェアモジュールは、RAM、フラッシュメモリ、ROM、EPROM、EEPROM、レジスタ、ハードディスク、取り外し可能なハードディスク、CD-ROM、またはこの技術分野で知られた任意の他の形式の記憶媒体に配置され得る。たとえば、記憶媒体は、プロセッサが記憶媒体から情報を読み取り、または記憶媒体に情報を書き込むことができるようにプロセッサに結合される。もちろん、記憶媒体は、プロセッサの構成要素であり得る。プロセッサおよび記憶媒体は、ASIC内に配置され得る。加えて、ASICは、ユーザ機器内に配置され得る。もちろん、プロセッサおよび記憶媒体は、離散した構成要素としてユーザ機器内に存在し得る。
【０１０８】
上述の実施形態のすべてまたはいくつかは、ソフトウェア、ハードウェア、ファームウェア、またはそれらの任意の組み合わせによって実現され得る。ソフトウェアが実施形態を実現するために使用されるとき、実施形態は、コンピュータプログラム製品の形式で完全にまたは部分的に実現され得る。コンピュータプログラム製品は、1つ以上のコンピュータ命令を含む。コンピュータプログラム命令がコンピュータにおいてロードされ、実行されるとき、この出願の実施形態による手順または機能が、すべてまたは部分的に生成される。コンピュータは、汎用コンピュータ、専用コンピュータ、コンピュータネットワーク、または他のプログラミング可能な装置であり得る。コンピュータ命令は、コンピュータ読み取り可能な記憶媒体に記憶されてもよく、またはコンピュータ読み取り可能な記憶媒体から別のコンピュータ読み取り可能な記憶媒体に伝送されてもよい。たとえば、コンピュータ命令は、1つのウェブサイト、コンピュータ、サーバ、またはデータセンターから別のウェブサイト、コンピュータ、サーバ、またはデータセンターに有線(たとえば、同軸ケーブル、光ファイバ、またはデジタル加入者線(DSL))またはワイヤレス(たとえば、赤外線、無線、またはマイクロ波)の形態で伝送されてもよい。コンピュータ読み取り可能な記憶媒体は、コンピュータによってアクセス可能な任意の使用可能な媒体、または1つ以上の使用可能な媒体を統合するサーバまたはデータセンターのようなデータ記憶デバイスであり得る。使用可能な媒体は、磁気媒体(たとえば、フロッピーディスク、ハードディスク、または磁気テープ)、光学媒体(たとえば、DVD)、半導体媒体(たとえば、ソリッドステートディスク solid state disk (SSD))、または同様のものであり得る。
【０１０９】
この明細書における用語「および／または」は、関連付けられた対象を説明するための関連付けの関係のみを説明し、3つの関係が存在し得ることを表現する。たとえば、Aおよび／またはBは、次の3つの場合、すなわち、Aのみが存在する、AとBの両方が存在する、およびBのみが存在する、を表現し得る。加えて、この明細書における文字「／」は、一般に、関連付けられた対象の間の「または」の関係を示す。
【０１１０】
この技術分野の当業者は、この明細書において開示された実施形態を参照して説明された例におけるユニットおよびアルゴリズムのステップが電子ハードウェアまたはコンピュータソフトウェアと電子ハードウェアの組み合わせによって実現され得ることに気付き得る。機能がハードウェアによって実行されるか、またはソフトウェアによって実行されるかは、特定の応用、および技術的解決策の設計の制約に依存する。この技術分野の当業者は、異なる方法を使用して、説明された機能を各々の特定の応用のために実現し得るが、実装は、この出願の範囲を超えると考えられるべきでない。
【０１１１】
便利で簡単な説明の目的のために、上述のシステム、装置、およびユニットの詳細な作動プロセスについて、上述の方法の実施形態における対応するプロセスへの参照が行われることが可能であり、詳細は再びここで説明されないことがこの技術分野の当業者によって明確に理解され得る。
【０１１２】
上述の説明は、この出願の単に具体的な実装であるが、この出願の保護範囲を限定するように意図されない。この出願において開示された技術的範囲内でこの技術分野の当業者によって容易に理解される任意の変形または置換は、この出願の保護範囲内に入るものである。したがって、この出願の保護範囲は、請求項の保護範囲に従うものである。
【符号の説明】
【０１１３】
1701  トランシーバ
1702  コントローラ／プロセッサ
1801  トランシーバ
1802  コントローラ／プロセッサ
1803  メモリ
1804  モデムプロセッサ
18041  エンコーダ
18042  変調器
18043  デコーダ
18044  復調器
【図１】
2020515111.tif 000004
【図２】
2020515111.tif 000005
【図２ａ】
2020515111.tif 000006
【図３】
2020515111.tif 000007
【図４】
2020515111.tif 000008
【図５】
2020515111.tif 000009
【図６】
2020515111.tif 000010
【図７】
2020515111.tif 000011
【図８】
2020515111.tif 000012
【図９】
2020515111.tif 000013
【図１０】
2020515111.tif 000014
【図１１】
2020515111.tif 000015
【図１２】
2020515111.tif 000016
【図１３】
2020515111.tif 000017
【図１４】
2020515111.tif 000018
【図１５】
2020515111.tif 000019
【図１６】
2020515111.tif 000020
【図１７】
2020515111.tif 000021
【図１８】
2020515111.tif 000022
【手続補正書】
【提出日】令和1年11月11日(2019.11.11)
【手続補正１】
【補正対象書類名】明細書
【補正対象項目名】全文
【補正方法】変更
【補正の内容】
【発明の詳細な説明】
【技術分野】
【０００１】
この出願の実施形態は、通信の分野、より具体的には、基準信号を伝送するための方法およびデバイスに関する。
【背景技術】
【０００２】
直交周波数分割多重(英語: Orthogonal Frequency Division Multiplexing、略してOFDM)および離散フーリエ変換拡散直交周波数分割多重(英語: Discrete Fourier Transform-Spread-OFDM、略してDFT-s-OFDM)は、ワイヤレス通信における2つの典型的な波形である。OFDMは、マルチキャリア波形であり、強力な耐マルチパス能力および柔軟な周波数分割多重形態のような利点を有するが、過度に高いピーク対平均電力比(英語: Peak-to-Average Power Ratio、略してPAPR)という欠点も有する。DFT-s-OFDMにおいて、OFDMの逆高速フーリエ変換(英語: Inverse Fast Fourier Transform、略してIFFT)の前に離散フーリエ変換(英語: Discrete Fourier Transform、略してDFT)拡散が導入され、それにより、OFDMの複数の利点を達成しながら、OFDMのPAPRよりずっと低いPAPRを提供する。OFDMのサブキャリア処理プロセスがDFT-s-OFDMに導入されるが、DFT-s-OFDMは、本質的に、シングルキャリア波形である。
【０００３】
新世代ワイヤレス通信規格5GのアップリンクにおいてOFDM波形とDFT-s-OFDM波形の両方を使用することが決定された。OFDM波形は、高い信号対雑音比のシナリオにおいてより大きいシステム容量を提供することができ、セルの中央においてユーザに適用可能である。DFT-s-OFDM波形は、低PAPR特性を有し、それによって、電力増幅器が、より高い出力電力を有することができ、より広いカバレッジが、提供されることができる。したがって、DFT-s-OFDM波形は、限定されたカバレッジを有するセルの端においてユーザに適用可能である。
【０００４】
データおよび制御情報の受信に成功するために、復調基準信号(英語: Demodulation Reference Signal、略してDMRS)が必要である。OFDMとDFT-s-OFDMのハイブリッド波形のシナリオは、DMRSの伝送および受信に対して新しい要件および制限を課す。たとえば、DMRSは、OFDMの周波数領域のスケジューリングの柔軟性に影響するべきでなく、DMRSは、DFT-s-OFDMの低PAPR特性を損なうべきでなく、DMRSは、任意の波形の組み合わせのマルチユーザの多入力多出力(英語: Multi-input Multi-output、略してMIMO)伝送をサポートするべきである。
【０００５】
LTEアップリンクDMRS送信の解決策において、LTEアップリンクにおいて使用される波形は、DFT-s-OFDMである。DFT-s-OFDMデータシンボルとしての低PAPR特性を維持するために、LTEアップリンクDMRSは、周波数領域のサブキャリアに連続的にマッピングされ、使用される系列は、時間領域に変換された後、低PAPR特性を有する。たとえば、LTEアップリンクDMRSによって使用される系列は、ZC (英語: Zadoff-Chu)系列および複素Gold系列(英語: Complex Gold Sequence、略してCGS)を含む。異なるアンテナポートにおいて基準信号の直交マッピングをサポートするために、LTEアップリンクDMRSは、周波数領域の符号分割多重技術を使用する。
【０００６】
LTEダウンリンクDMRS送信の解決策において、LTEダウンリンクにおいて使用される波形は、OFDMであり、DMRSは、時間領域および周波数領域において離散的にマッピングされる。異なるアンテナポートにおいて基準信号の直交マッピングをサポートするために、LTEダウンリンクDMRSは、周波数分割多重および時間領域の符号分割多重技術を使用する。
【０００７】
結論として、LTEアップリンクDMRSは、周波数領域において連続的にマッピングされる。OFDM波形が使用されるならば、DMRSおよびデータが多重化されることができず、スペクトル効率を下げる。LTEアップリンクDMRSは、同じ周波数領域リソースにおいて符号分割多重を通じて複数のアンテナポートの並列伝送をサポートする。しかし、符号分割多重について、系列は、直交化を実現するために、同じ長さを有する必要がある。加えて、低PAPR特性を保証するために、LTEアップリンクDMRSは、周波数領域において連続している必要がある。したがって、LTEアップリンクDMRSが5Gのアップリンクにおいて使用されるならば、リソーススケジューリングの柔軟性が下げられる可能性があり、セルのスループットが減らされる可能性がある。LTEダウンリンクDMRSは、時間領域および周波数領域において離散的にマッピングされ、データおよびDMRSが、単一のOFDMシンボル内に多重化される。しかし、LTEダウンリンクDMRSによって使用される系列は、時間領域において低PAPR特性を有さない。結果として、この送信方法は、DFT-s-OFDM波形に適用されることができない。
【発明の概要】
【課題を解決するための手段】
【０００８】
この出願の実施形態は、基準信号を伝送するための方法およびデバイスを提供する。方法は、OFDM波形およびDFT-s-OFDM波形に対応する基準信号のリソースマッピングパターンを提供し、2つの波形が適用されるシナリオにおけるシグナリングのオーバーヘッドおよびシステムの複雑さを低減することを助ける。
【０００９】
第1の態様によれば、この出願の実施形態は、ネットワークデバイスにより、ユーザ機器UEに、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を送信するステップであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、ステップと、ネットワークデバイスにより、波形に関する情報、アンテナポートに関する情報、およびリソースブロックに関する情報に基づいて、リソースブロックにおいてUEに基準信号を送信し、またはUEから基準信号を受信するステップと、を含む、基準信号を伝送するための方法を提供する。この方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。
【００１０】
可能な設計において、OFDM波形に対応する基準信号は、周波数領域において櫛形の形態でマッピングされる。このようにして、OFDM波形の基準信号およびDFT-s-OFDM波形の基準信号は、同様のリソースマッピングパターンを有し、UEは、干渉の推定および除去を実行するために、ペアにされたUEの波形の種類を知ることなくペアにされたUEのリソースマッピングパターンを知ることができる。
【００１１】
可能な設計において、OFDM波形に対応する基準信号が周波数領域においてマッピングされる形態は、DFT-s-OFDM波形に対応する基準信号が周波数領域においてマッピングされる形態と同じである。この方法によれば、基準信号を復元するために、受信端が基準信号についてブラインド検出を実行するために便利である。
【００１２】
可能な設計において、OFDM波形が第1の数のアンテナポートに対応するとき、第1の数のアンテナポートを通じて伝送される基準信号は、直交符号を使用することによって周波数領域において直交化され、ここで第1の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００１３】
可能な設計において、DFT-s-OFDM波形が第2の数のアンテナポートに対応するとき、第2の数のアンテナポートを通じて伝送される基準信号は、直交符号を使用することによって周波数領域において直交化され、ここで第2の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００１４】
可能な設計において、方法は、ネットワークデバイスにより、UEのうちのペアにされたUEの波形に関する情報およびアンテナポートに関する情報をUEに送信するステップをさらに含む。したがって、UEは、干渉除去をより効果的に実行することができる。
【００１５】
第2の態様によれば、この出願の実施形態は、ネットワークデバイスから、ユーザ機器UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を受信するステップであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、ステップと、UEにより、波形に関する情報、アンテナポートに関する情報、およびリソースブロックに関する情報に基づいて、リソースブロックにおいてネットワークに基準信号を送信し、またはネットワークから基準信号を受信するステップと、を含む、基準信号を送信および受信するための方法を提供する。この方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。
【００１６】
可能な設計において、OFDM波形に対応する基準信号は、周波数領域において櫛形の形態でマッピングされる。
【００１７】
可能な設計において、OFDM波形に対応する基準信号が周波数領域においてマッピングされる形態は、DFT-s-OFDM波形に対応する基準信号が周波数領域においてマッピングされる形態と同じである。この方法によれば、基準信号を復元するために、受信端が基準信号についてブラインド検出を実行するために便利である。
【００１８】
可能な設計において、OFDM波形が第1の数のアンテナポートに対応するとき、第1の数のアンテナポートを通じて伝送される基準信号は、直交符号を使用することによって周波数領域において直交化され、ここで第1の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００１９】
可能な設計において、DFT-s-OFDM波形が第2の数のアンテナポートに対応するとき、第2の数のアンテナポートを通じて伝送される基準信号は、直交符号を使用することによって周波数領域において直交化され、ここで第2の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００２０】
可能な設計において、方法は、UEにより、UEのうちのペアにされたUEの波形に関する情報およびアンテナポートに関する情報をネットワークデバイスから受信するステップをさらに含む。したがって、UEは、干渉除去をより効果的に実行することができる。
【００２１】
第3の態様によれば、この出願の実施形態は、ネットワークデバイスを提供する。ネットワークデバイスは、ユーザ機器UEに、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を送信するように構成されたトランシーバであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、トランシーバを含む。さらに、トランシーバは、波形に関する情報、アンテナポートに関する情報、およびリソースブロックに関する情報に基づいて、リソースブロックにおいてUEに基準信号を送信し、またはUEから基準信号を受信するように構成される。この方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。
【００２２】
可能な設計において、OFDM波形に対応する基準信号は、周波数領域において櫛形の形態でマッピングされる。
【００２３】
可能な設計において、OFDM波形に対応する基準信号が周波数領域においてマッピングされる形態は、DFT-s-OFDM波形に対応する基準信号が周波数領域においてマッピングされる形態と同じである。この方法によれば、基準信号を復元するために、受信端が基準信号についてブラインド検出を実行するために便利である。
【００２４】
可能な設計において、OFDM波形が第1の数のアンテナポートに対応するとき、第1の数のアンテナポートを通じて伝送される基準信号は、直交符号を使用することによって周波数領域において直交化され、ここで第1の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００２５】
可能な設計において、DFT-s-OFDM波形が第2の数のアンテナポートに対応するとき、第2の数のアンテナポートを通じて伝送される基準信号は、直交符号を使用することによって周波数領域において直交化され、ここで第2の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００２６】
可能な設計において、トランシーバは、UEのうちのペアにされたUEの波形に関する情報およびアンテナポートに関する情報をUEに送信するようにさらに構成される。したがって、UEは、干渉除去をより効果的に実行することができる。
【００２７】
第4の態様によれば、この出願の実施形態は、ユーザ機器をさらに提供する。ユーザ機器は、ネットワークデバイスから、ユーザ機器UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を受信するように構成されたトランシーバであって、波形が、OFDM波形またはDFT-s-OFDM波形を含み、アンテナポートが、基準信号を送信または受信するためにUEによって使用されるリソースマッピングパターンを示し、リソースマッピングパターンのシンボルにおいて、DFT-s-OFDM波形に対応する基準信号が、周波数領域において櫛形の形態でマッピングされ、OFDM波形に対応する基準信号が、DFT-s-OFDM波形がマッピングされない周波数領域リソースにマッピングされる、トランシーバを含む。さらに、トランシーバは、波形に関する情報、アンテナポートに関する情報、およびリソースブロックに関する情報に基づいて、リソースブロックにおいてネットワークに基準信号を送信し、またはネットワークから基準信号を受信するように構成される。この方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。
【００２８】
可能な設計において、OFDM波形に対応する基準信号は、周波数領域において櫛形の形態でマッピングされる。
【００２９】
可能な設計において、OFDM波形に対応する基準信号が周波数領域においてマッピングされる形態は、DFT-s-OFDM波形に対応する基準信号が周波数領域においてマッピングされる形態と同じである。この方法によれば、基準信号を復元するために、受信端が基準信号についてブラインド検出を実行するために便利である。
【００３０】
可能な設計において、OFDM波形が第1の数のアンテナポートに対応するとき、第1の数のアンテナポートを通じて伝送される基準信号は、直交符号を使用することによって周波数領域において直交化され、ここで第1の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００３１】
可能な設計において、DFT-s-OFDM波形が第2の数のアンテナポートに対応するとき、第2の数のアンテナポートを通じて伝送される基準信号は、直交符号を使用することによって周波数領域において直交化され、ここで第2の数は、1より大きい正の整数である。この方法によれば、リソーススケジューリングの粒度を低減し、スケジューリングの柔軟性を改善するために、単一のリソースブロックにおいて複数のアンテナポートが区別されることができる。
【００３２】
可能な設計において、トランシーバは、UEのうちのペアにされたUEの波形に関する情報およびアンテナポートに関する情報をネットワークデバイスから受信するようにさらに構成される。したがって、UEは、干渉除去をより効果的に実行することができる。
【００３３】
さらに、上述の4つの態様において、DFT-s-OFDM波形に対応する基準信号の系列が、Zadoff-Chu系列または複素Gold系列CGSである。周波数分割多重が、OFDM波形に対応する基準信号およびデータに対して実行される。波形に関する情報、アンテナポートに関する情報、またはリソースブロックに関する情報は、ダウンリンク制御情報DCI、RRCシグナリング、またはMAC制御シグナリング内で搬送され得る。基準信号は、復調基準信号DMRS、チャネル状態情報-基準信号CSI-RS、またはサウンディング基準信号SRSである。
【００３４】
別の態様によれば、この出願の実施形態は、上述のネットワークデバイスまたは上述のUEによって使用されるコンピュータソフトウェア命令を記憶するように構成されたコンピュータ記憶媒体を提供する。コンピュータソフトウェア命令は、上述の方法を実行するために設計されたプログラムを含む。
【００３５】
以下は、実施形態または先行技術を説明するために要求される添付図面を簡潔に説明する。明らかに、以下の説明における添付図面は、この出願の単にいくつかの実施形態を表し、この技術分野の当業者は、創造的な努力なしにこれらの添付図面から他の図面を依然として導き出し得る。
【図面の簡単な説明】
【００３６】
【図１】この出願の実施形態による、基準信号を伝送するための方法の概略的なフローチャートである。
【図２】スロットの概略的な構造図である。
【図２ａ】別のスロットの概略的な構造図である。
【図３】時間周波数リソースのグリッド構造の概略図である。
【図４】単一のアンテナポートの基準信号のリソースマッピングパターンの概略図である。
【図５】2つのアンテナポートの基準信号のリソースマッピングパターンの概略図である。
【図６】DFT-s-OFDM波形の基準信号のリソースマッピングパターンの概略図である。
【図７】周波数領域における低PAPR系列の連続したマッピングおよび離散したマッピングの間の時間領域波形の概略図である。
【図８】OFDM波形の基準信号の概略的なマッピングの図である。
【図９】この出願の実施形態による、UE 1およびUE 2の基準信号のリソースマッピングパターンの概略図である。
【図１０】この出願の実施形態による、UE 1、UE 2、およびUE 3の基準信号のリソースマッピングパターンの概略図である。
【図１１】この出願の実施形態による、UE 1、UE 2、およびUE 3の基準信号のリソースマッピングパターンの概略図である。
【図１２】この出願の実施形態による、UE 1およびUE 2の基準信号のリソースマッピングパターンの概略図である。
【図１３】異なる密度を有する基準信号のリソースマッピングパターンの概略図である。
【図１４】この出願の実施形態による、複数のMIMOのシナリオにおける基準信号リソースマッピングの概略図である。
【図１５】この出願の実施形態による、基準信号のリソースマッピングパターンの概略図である。
【図１６】この出願の実施形態による、基準信号のリソースマッピングパターンの概略図である。
【図１７】この出願の実施形態による、ネットワークデバイスの可能な概略的な構造図である。
【図１８】この出願の実施形態による、UEの可能な設計構造の単純化された概略図である。
【発明を実施するための形態】
【００３７】
以下は、この出願の実施形態における添付図面を参照して、この出願の実施形態における技術的解決策を説明する。明らかに、説明される実施形態は、この出願の実施形態のすべてではなく単にいくつかである。創造的な努力なしにこの出願の実施形態に基づいてこの技術分野の当業者によって得られる他のすべての実施形態は、この出願の保護範囲内に入るものである。
【００３８】
この出願の実施形態におけるネットワークデバイス(たとえば、基地局)が、UEのためにワイヤレス通信機能を提供するために無線アクセスネットワーク内に配備される装置であることが理解されるべきである。ネットワークデバイスは、様々な形式での、マクロ基地局、マイクロ基地局(スモールセルとも呼ばれる)、中継局、アクセスポイント、および同様のものを含み得る。異なる無線アクセス技術を使用するシステムにおいて、基地局の機能を有するデバイスの名前は、異なり得る。たとえば、LTEシステムにおいて、デバイスは、進化型ノードB (英語: evolved NodeB、略してeNBまたはeNodeB)と呼ばれ、第3世代(英語: 3rd Generation、略して3G)システムにおいて、デバイスは、ノードB (英語: NodeB)と呼ばれ、将来の新しい無線(New Radio、NR)ネットワークにおいて、デバイスは、gNBと呼ばれる。説明の容易さのために、この出願のすべての実施形態において、UEのためにワイヤレス通信機能を提供するすべての装置は、基地局と呼ばれる。この出願の実施形態におけるUEは、端末であってもよく、具体的には、移動局(英語: Mobile Station、略してMS)、モバイル端末(英語: Mobile Terminal)、モバイル電話(英語: Mobile Telephone)、ハンドセット(英語: handset)、ポータブル機器(英語: portable equipment)、ワイヤレス通信機能を有するハンドヘルドデバイス、ワイヤレスモデムに接続されたコンピューティングデバイスまたは別の処理デバイス、車載デバイス、ウェアラブルデバイス、将来の新しい無線(New Radio、NR)ネットワークにおける端末デバイス、および同様のものを含むがこれらに限定されない。
【００３９】
アップリンクまたはダウンリンク伝送において、UEは、OFDM波形またはDFT-s-OFDM波形を使用することによって伝送を実行し得る。波形スケジューリングは、UEによってトリガされてもよく、またはネットワークデバイスによってトリガされてもよいが、両方の場合において、ネットワークデバイスが、UEに波形スケジューリングの結果を通知する必要がある。波形は、主に、UEが限定されたカバレッジ内にあるかどうかに依存して選択される。限定されたカバレッジは、以下の場合、すなわち、UEの信号伝送が伝搬損失によって深刻に影響されている、および、受信信号が比較的弱く、結果として、通信を維持することが難しい、または低レート通信のみが維持されることができる場合を含むがこれらに限定されない。言い換えると、波形は、主に、UEがネットワークデバイスと良好に通信することができるかどうかに依存して選択される。実現可能な方法は、以下の通りである。ネットワークデバイスが、UEのアップリンク伝送チャネルのチャネル品質を監視する。チャネル品質が閾値より低いとき、UEが限定されたカバレッジのシナリオにあると考えられてもよく、ネットワークデバイスがUEのためにDFT-s-OFDM波形をスケジューリングしてもよい。それと反対に、UEのチャネル品質が閾値より高いとき、UEが限定されたカバレッジのシナリオにないと考えられてもよく、ネットワークデバイスがUEのためにOFDM波形をスケジューリングしてもよい。もちろん、ネットワークデバイスは、UEが限定されたカバレッジのシナリオにあるかどうかを別の技術的手段を使用することによって決定してもよく、これはこの出願の実施形態において限定されない。
【００４０】
さらに、ネットワークデバイスは、さらに、スケジューリングされたアンテナポートをUEに通知する必要がある。このようにして、UEは、スケジューリングされたアンテナポートに対応する基準信号リソース要素マッピングパターンに基づいて対応するリソース要素において基準信号を送信または受信し得る。具体的には、UEは、UEのためにネットワークデバイスによってスケジューリングされた波形に基づいて対応するリソース要素において基準信号を送信または受信し得る。基準信号は、DMRS、チャネル状態情報-基準信号(英語: Channel State Information-Reference Signals、略してCSI-RS)、およびサウンディング基準信号(英語: Sounding Reference Signal、SRS)を含む。したがって、この出願の実施形態において、ネットワークデバイスは、UEがスケジューリングされた波形に基づいて基準信号を送信または受信することができるように、UEのためにスケジューリングされる波形およびアンテナポートをUEに通知する必要がある。これに基づいて、この出願の実施形態は、基準信号を伝送するための方法を提供する。図1は、方法の概略的なフローチャートである。図1に表されるように、方法は、以下のステップを含む。
【００４１】
ステップ101:ネットワークデバイスが、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報をUEに送信する。
【００４２】
波形は、OFDM波形またはDFT-s-OFDM波形を含み、アンテナポートは、基準信号を送信または受信するためにUEによって使用されるリソースマッピングパターンを示す。さらに、アンテナポートは、基準信号系列および／または直交符号のような情報を示す。リソースマッピングパターンは、時間周波数リソースにおける基準信号の位置を指し、基準信号系列は、基準信号を形成するために使用される系列を指し、直交符号は、符号分割多重が異なるアンテナポートの基準信号に対して実行されるときに異なるアンテナポートに適用される相互に直交する符号を指す。リソースマッピングパターンのシンボルにおいて、DFT-s-OFDM波形に対応する基準信号は、周波数領域において櫛形の形態でマッピングされ、OFDM波形に対応する基準信号は、DFT-s-OFDM波形がマッピングされないリソースにマッピングされる。周波数領域における櫛形のマッピングは、周波数領域における均等な離散したマッピングまたは周波数領域における等しい間隔でのマッピングを意味し、DFT-s-OFDM波形に対応する基準信号は、DFT-s-OFDM波形を使用することによって伝送される基準信号であり、OFDM波形に対応する基準信号は、OFDM波形を使用することによって伝送される基準信号である。
【００４３】
さらに、アンテナポートは、アンテナポート番号を使用することによって示され得る。アンテナポート番号は、論理的な概念であり、特定の基準信号リソースマッピングパターン、基準信号系列、または同様のものを使用することによって定義され得る。一般に、同じアンテナポートにおいて伝送されるデータおよび基準信号は、伝送プロセスにおいて同じチャネルを通ると考えられ得る。たとえば、アンテナポートiにおいて送信されるデータは、アンテナポートiにおいて送信される基準信号を使用することによって取得されたチャネル推定結果に基づいて復元され得る。
【００４４】
波形に関する情報、アンテナポートに関する情報、およびリソースブロックに関する情報は、異なるシグナリングに別々に追加されてUEに送信されてもよく、または同じシグナリングに追加されてUEに送信されてもよく、または2つの情報が、同じシグナリングに追加されてUEに送信されることが留意されるべきである。これは、ネットワークデバイスによるスケジューリングに基づいて決定される必要がある。たとえば、波形に関する情報のスケジューリング期間が、比較的長くてもよく、アンテナポートに関する情報およびリソースブロックに関する情報のスケジューリング期間が、比較的短くてもよい。したがって、アンテナポートに関する情報およびリソースブロックに関する情報は、同じシグナリングを使用することによって送信されてもよく、波形に関する情報が更新される必要があるとき、波形に関する情報が、シグナリングに追加される。
【００４５】
さらに、この出願のこの実施形態は、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報を送信するための3つの方法を提供する。
【００４６】
第1の可能な設計において、ネットワークデバイスが、UEにダウンリンク制御情報(英語: Downlink control information、略してDCI)を送信する。ダウンリンク制御情報は、UEのためにスケジューリングされた波形およびUEのためにスケジューリングされたアンテナポートの番号を示す。具体的な方法が、単純な例を使用することによって説明され得る。たとえば、特定のフォーマットにおけるDCIは、複数のフィールドを含み、フィールドは、0または1のいくつかのビットを含む。フィールドは、特定の意味、たとえば、リソーススケジューリングおよび変調符号化方式を表現するために使用される。この出願のこの実施形態において、波形は、特定のフィールドを使用することによって表現され得る。たとえば、1つのビットが、波形を表現するために使用され、ここで第1の値(たとえば、0)が、OFDM波形を表現し、第2の値(たとえば、1)が、DFT-s-OFDM波形を表現する。依然としてさらに、アンテナポート番号が、同様のフィールドを使用することによって表現され得る。たとえば、「00」は、ポート0のみがスケジューリングされることを意味し、「01」は、ポート1のみがスケジューリングされることを意味し、「11」は、ポート0とポート1の両方がスケジューリングされることを意味する。UEは、波形を表現するために使用されるフィールド情報およびアンテナポートを表現するために使用されるフィールド情報を参照して、基準信号のリソースマッピングパターンを決定する。
【００４７】
第2の可能な設計において、UEのためにネットワークデバイスによってスケジューリングされた波形およびUEのためにネットワークデバイスによってスケジューリングされたアンテナポートの番号が、より高いレイヤのシグナリングに追加されてUEに送信され得る。たとえば、波形およびアンテナポート番号は、RRCシグナリングまたはMACシグナリングのようなシグナリングに追加される。MACフレームは、フレームヘッダ、制御要素(英語: Control Element、略してCE)、およびサービスデータユニット(英語: Service Data Unit、略してSDU)を含み得る。CEは、波形およびアンテナポート番号に関する情報を搬送するために使用され得る。具体的な形態は、第1の可能な設計におけるDCIを使用する形態と同様であり、詳細は再びここで説明されない。
【００４８】
加えて、より高いレイヤのシグナリングにおいて、選択された波形が、伝送モード(英語: Transmission Mode、略してTM)を使用することによって示され得る。表1は、この出願の実施形態による、伝送モードと波形の間の対応関係の表である。表1に表されるように、伝送モードが定義され、この伝送モードにおいて、アップリンクデータ伝送を実行するためにOFDMまたはDFT-s-OFDMのみが使用されることができる。UEによって使用される波形が変更される必要があるとき、ネットワークデバイスは、より高いレイヤのシグナリングを使用することによって、新しい波形を使用するようにUEに命令し得る。UEによって使用される波形がより高いレイヤのシグナリングを使用することによって更新される必要がないとき、DCIは、UEによって使用されるアンテナポートの番号のみを搬送するために使用され得る。
【００４９】
表1:この出願の実施形態による、伝送モードと波形の間の対応関係の表
【００５０】
【表１】
2020515111.tif 000023
【００５１】
第3の可能な設計において、1つの伝送モードが、複数の波形を示す。そして、伝送モードを受信した後、UEは、UEによって使用される波形が伝送モードに対応する複数の波形のうちの1つであると決定し得るが、UEは、さらに、どの具体的な波形が使用されるかを決定する必要がある。ネットワークデバイスは、DCIのフォーマットを使用することによって波形の種類を黙示的に示し得る。たとえば、第1のDCIフォーマットがOFDM波形に対応し、第2のDCIフォーマットがDFT-s-OFDM波形に対応すると仮定して、伝送モードを受信した後、UEは、波形の種類を決定するためにDCIを検出する。たとえば、代替的に、ネットワークデバイスは、データのリソースマッピングの形態を使用することによって波形の種類を黙示的に示し得る。たとえば、データのリソースマッピングの形態は、連続したリソースブロック(英語: Resource Block、略してRB)マッピングであり、それは、この場合におけるUEのためにネットワークデバイスによってスケジューリングされた波形がDFT-s-OFDM波形であることを示す。データのリソースマッピングの形態は、連続していないリソースブロックマッピングであり、それは、この場合におけるUEのためにネットワークデバイスによってスケジューリングされた波形がOFDM波形であることを示す。
【００５２】
特に、この解決策がダウンリンクに適用されるとき、UEによって使用される波形およびアンテナポートに加えて、MU-MIMOまたは動的な時分割複信(英語: Time Division Duplex、略してTDD)のシナリオにおいて、性能を改善するために、UEは、ペアにされたUEの波形およびアンテナポート番号を取得する必要があり得る。ペアにされたUEは、UEと同じ時間周波数リソース位置においてスケジューリングされた他のUEである。たとえば、合計で4つのUEが特定のリソースブロックにおいてスケジューリングされると仮定され、各UEが、1つのアンテナポートを占有する。UEが他のUEによって使用される波形およびアンテナポートの番号を取得することができるならば、それは、UEが干渉の推定および除去を実行することを助ける。たとえば、UEが逐次干渉除去方法を使用するならば、UEは、ペアにされたUEの信号によって生成される干渉を除去するために、ペアにされたUEの信号を復調してデコードする前に、ペアにされたUEの波形を取得する必要がある。別の例において、OFDM波形の基準信号構成の解決策は、DFT-s-OFDM波形の基準信号構成の解決策と異なり得る。UEは、ペアにされたUEからの干渉を除去するために、ペアにされたUEの基準信号を再構築し、チャネル推定を実行する前に、ペアにされたUEの波形を取得する必要がある。具体的には、以下の方法があり得る。ネットワークデバイスは、ペアにされたUEの波形および／またはアンテナポート番号をUEに送信されるDCIに追加する。代替的に、波形とアンテナポートの間の対応関係が、プロトコルを使用することによって合意される(またはより高いレイヤのシグナリングを使用することによってUEに通知される)。UEは、ペアにされたUEのアンテナポートを使用することによって、ペアにされたUEによって使用される波形を知り、波形に基づいてペアにされたUEの基準信号を再構築し、そしてチャネル推定を実行し得る。加えて、アンテナポートの数が制限され、UEが、ペアにされたUEのアンテナポートを取得するために、対応関係に基づいてアンテナポートを横断し得る。たとえば、合計で4つのアンテナポートがあると仮定して、最初の2つのポートがOFDM波形の基準信号を伝送するために常に使用され、後の2つのポートがD
FT-s-OFDM波形の基準信号を伝送するために常に使用されることが、プロトコルを使用することによって合意され得る(またはより高いレイヤのシグナリングを使用することによって通知され得る)。UEは、波形とアンテナポートの間の対応関係に基づいて干渉の推定および除去を実行し得る。
【００５３】
ステップ102:UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報に基づいてネットワークデバイスとUEの間で基準信号を伝送する。
【００５４】
基準信号伝送は、アップリンク伝送およびダウンリンク伝送を含み、以下は、アップリンク伝送およびダウンリンク伝送をさらに説明する。
【００５５】
ダウンリンク伝送において、ネットワークデバイスは、UEに基準信号を送信する。基準信号を受信した後、UEは、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報に基づいて基準信号を再構築する。
【００５６】
アップリンク伝送において、UEは、ネットワークデバイスに基準信号を送信する。基準信号は、UEのためにネットワークデバイスによってスケジューリングされた波形に関する情報、UEのためにネットワークデバイスによってスケジューリングされたアンテナポートに関する情報、およびUEのためにネットワークデバイスによってスケジューリングされたリソースブロックに関する情報に基づいてUEによって生成される。
【００５７】
さらに、アップリンク伝送またはダウンリンク伝送に関係なく、基準信号は、UEのためにネットワークデバイスによってスケジューリングされた時間周波数リソースにおいて搬送される。言い換えると、基準信号は、基準信号のリソースマッピングパターンの指示およびリソースブロックに関する情報に基づいて対応するリソース位置において送信または受信される必要がある。
【００５８】
この出願のこの実施形態において提供される基準信号を伝送するための方法は、OFDM波形とDFT-s-OFDM波形の両方に適用されるとき、周波数領域の櫛形の基準信号リソースマッピングパターンに基づく。この出願のこの実施形態において提供されるこの方法によれば、システムの複雑さおよびオーバーヘッドを低減するために、OFDM波形およびDFT-s-OFDM波形に同じ基準信号リソースマッピングパターンが適用される。加えて、この方法は、DMRSに対してOFDM波形およびDFT-s-OFDM波形によって課される制約および要件を満たし、両方の波形の性能を保証することができる。5Gにおいて、OFDM波形およびDFT-s-OFDM波形がアップリンクにおいて使用され、2つの波形のために一様なDMRSが設計され、それによって、送信機または受信機は、再使用可能なモジュールの数を増やし、送信機および受信機の複雑さを低減することを助けるために、異なる波形を処理するときに同様のプロセスを使用する。加えて、この一様な設計において、システムは、2つのシグナリングの集合を冗長に設計する必要がなく、シグナリングのオーバーヘッドを低減するために、2つの波形のパラメータ情報が、1つのシグナリングを使用することによって伝送されることができる。
【００５９】
以下は、添付図面を参照して、基準信号を送信または受信するためにUEによって使用されるリソースマッピングパターンをさらに説明する。
【００６０】
基準信号を送信または受信するためにUEによって使用される既存のリソースマッピングパターンは、OFDM波形またはDFT-s-OFDM波形のいずれかのために設計され、2つの波形の両方が使用される場合に適さない。5Gのアップリンクにおいて、OFDM波形とDFT-s-OFDM波形の両方が使用される。したがって、基準信号を送信または受信するためにUEによって使用されるリソースマッピングパターンは、OFDM波形とDFT-s-OFDM波形の両方の要件を満たす必要がある。
【００６１】
図2は、スロットの概略的な構造図であり、図2aは、別のスロットの概略的な構造図である。図2または図2aに表されるように、スロットは、OFDM波形の複数のシンボルまたはDFT-s-OFDM波形の複数のシンボルを含む。OFDM波形のシンボルは、OFDM波形を使用するシンボルまたはOFDMシンボルであることが可能であり、DFT-s-OFDM波形のシンボルは、DFT-s-OFDM波形を使用するシンボルまたはDFT-s-OFDMシンボルであることが可能である。図2において、スロットは、7個のシンボルを含み、図2aにおいて、スロットは、14個のシンボルを含む。いくつかのシンボルは、データシンボルに設定され、データのみを伝送するために使用され、他のシンボルは、基準信号シンボルに設定され、DMRS、CSI-RS、またはSRSを伝送するために主に使用され、データが、シンボルにおいてさらに多重化され得る。図2および図2aにおけるスロット構造において、1つの基準信号シンボルがあるが、スロットはより多くの基準信号シンボルを含み得る。
【００６２】
上述のスロット構造に基づいて、時間周波数リソースのグリッド構造が、さらに取得され得る。たとえば、OFDM波形およびDFT-s-OFDM波形のために、連続した時間領域信号が、いくつかの時間周波数リソースグリッドに分割され得る。時間周波数リソースグリッドにおいて、時間領域リソースの最小単位は、シンボルであり、周波数領域リソースの最小単位は、サブキャリアである。スケジューリングプロセスにおいて、最小のスケジューリングの粒度は、L個のシンボルおよびK個のサブキャリアを含むリソースブロックである。LおよびKは、1より大きい正の整数である。図3は、時間周波数リソースのグリッド構造の概略図である。図3に表されるように、リソースブロックkは、14個のシンボルおよび12個のサブキャリアを含む。
【００６３】
この出願のこの実施形態において提供されるOFDMとDFT-s-OFDMの両方に適用可能なDMRSを送信および受信するための方法は、上述のスロット構造および時間周波数リソースのグリッド構造に適用され、基準信号に対するOFDM波形およびDFT-s-OFDM波形の異なる要件を満たし得る。以下は、1つのリソースブロックを例として使用することによってこの出願のこの実施形態をさらに説明する。
【００６４】
1つのリソースブロックにおいて、(アンテナポートmと印を付けられた)アンテナポートについて、OFDM波形およびDFT-s-OFDM波形に対応する両方の基準信号が、周波数領域において均等にマッピングされる。図4は、単一のアンテナポートの基準信号のリソースマッピングパターンの概略図である。図4に表されるように、アンテナポートmの基準信号は、リソース要素の集合p、つまり、図4においてpと印を付けられたすべてのリソース要素にマッピングされる。リソース要素の集合p+1は、リソースマッピングパターン内のp+1と印を付けられたすべてのリソース要素を指す、などして、リソース要素の集合p+2またはさらなるリソース要素の集合を取得する。
【００６５】
複数のアンテナポートが同時に基準信号を伝送するために使用される(たとえば、アンテナポートmおよびアンテナポートm+1が同時に基準信号を伝送するために使用される)とき、異なるアンテナポートが、同じ時間周波数リソースを占有し得る。たとえば、図4において、アンテナポートmおよびアンテナポートm+1は、基準信号を伝送するためにリソース要素の集合pを共有し得る。同じ時間周波数位置を占有する異なるアンテナポートの基準信号は、符号分割多重を通じて直交化される。異なるアンテナポートは、代替的に、異なる時間周波数リソースを占有し得るが、基準信号は、周波数領域において均等にマッピングされる。図5は、2つのアンテナポートの基準信号のリソースマッピングパターンの概略図である。図5に表されるように、アンテナポートmの基準信号は、リソース要素の集合pにマッピングされ、アンテナポートm+1の基準信号は、リソース要素の集合p+1にマッピングされる。このようにして、アンテナポートmの基準信号およびアンテナポートm+1の基準信号は、周波数分割多重を通じて直交化される。
【００６６】
図6は、DFT-s-OFDM波形の基準信号のリソースマッピングパターンの概略図である。図6に表されるように、スケジューリングされた波形がDFT-s-OFDM波形であるとき、UEに割り当てられるリソースブロックは、周波数領域において連続している。言い換えると、DFT-s-OFDM波形の基準信号は、周波数領域において1つのリソースブロックに、たとえば、図4における基準信号リソース要素の集合pに均等にマッピングされる。基準信号が複数のリソースブロックにマッピングされるとき、複数のリソースブロックは、連続したリソースブロック、たとえば、図6に表されるリソースブロックkおよびリソースブロックk+1である必要がある。この場合、基準信号の系列は、時間領域の低PAPR系列、たとえば、ZC系列またはCGSであり得る。低PAPR系列は、系列のPAPRがDFT-s-OFDM波形の、四位相偏移変調(英語: Quadrature Phase Shift Keying、略してQPSK)を通じて変調されたシンボルのPAPRにほぼ等しいことを意味することが留意されるべきである。
【００６７】
図7は、周波数領域における低PAPR系列の連続したマッピングおよび離散したマッピングの間の時間領域波形の概略図である。図7に表されるように、基準信号の系列がSiであり、ここでiが系列インデックスであると仮定される。Siが周波数領域において連続的にマッピングされるとき、Siに対応する時間領域波形は、s(t)である。s(t)が低PAPR波形であることが、図7から知られ得る。Siが周波数領域においてN個のサブキャリアの間隔で均等に離散的にマッピングされるとき、Siに対応する時間領域波形は、s(Nt)である。s(Nt)も低PAPR波形であることが、図7から知られ得る。したがって、DFT-s-OFDM波形の、低PAPR系列を使用する基準信号が周波数領域において均等に離散的にマッピングされるとき、低PAPR特性が、依然として達成されることができる。
【００６８】
図8は、OFDM波形の基準信号の概略的なマッピングの図である。図8に表されるように、UEのためにスケジューリングされた波形がOFDM波形であるとき、UEに割り当てられるリソースブロックは、周波数領域において連続し、または離散していることが可能である。基準信号系列は、低PAPR系列であってもよく、または低PAPR系列でなくてもよい。加えて、波形がOFDM波形であるとき、周波数分割多重が、基準信号およびデータに対して実行され得る。言い換えると、波形がOFDM波形であるとき、図8における灰色のリソース要素が別のアンテナポートの基準信号によって占有されないならば、データが挿入され得る。しかし、波形がDFT-s-OFDMであるとき、データは、いずれの瞬間においても図8における灰色のリソース要素に挿入されることができず、データが挿入されるならば、DFT-s-OFDMの低PAPR特性が損なわれ、結果として、DFT-s-OFDM波形のシングルキャリア性能が著しく低下する。
【００６９】
上記で説明されたように、OFDM波形に対応する基準信号およびDFT-s-OFDM波形に対応する基準信号は、同じ低PAPR系列(たとえば、ZC系列またはCGS)を使用してもよく、または異なる系列を使用してもよい(DFT-s-OFDMは、時間領域の低PAPR系列を依然として使用する)。単一のリソースブロックにおけるチャネル推定方法は波形の種類に無関係であるので、2つの波形が同じ系列を使用するならば、基準信号系列が知られているとき、受信端は、干渉除去を容易にするために、干渉する波形を知ることなく基準信号系列のチャネルを直接推定することができる。2つの波形が異なる基準信号系列を使用するならば、受信端は、グラントフリー(英語: grant-free)アクセスのデータ復調を容易にするために、波形を決定するために基準信号系列についてブラインド検出を実行し得る。したがって、2つの構成は、それらのそれぞれの応用シナリオを有する。
【００７０】
したがって、UEがDFT-s-OFDM波形を使用するとき、この出願のこの実施形態において提供される方法によれば、基準信号の送信が波形の低PAPR特性を損なわないことが、保証されることができる。ユーザがOFDM波形を使用するとき、この方法によれば、基準信号およびデータについての多重化が、保証されることができる。
【００７１】
加えて、この方法によれば、1つの周波数領域リソースブロック内の複数の直交するアンテナポートの間で区別し、周波数領域のスケジューリングの粒度を低減し、MIMOのペアリングの柔軟性を改善するために、複数のアンテナポートがサポートされ得る。言い換えると、アンテナポートが1つのリソースブロック内で直交化され、それによって、「連続した対称なリソース」の以前の制約はもはや存在せず、柔軟性が改善される。
【００７２】
以下は、UEのために基地局によってスケジューリングされた基準信号リソースマッピングパターンを例として使用することによってこの出願の実施形態をさらに説明する。
【００７３】
実施形態1
この実施形態は、同じ時間周波数リソースにおいてアップリンク伝送を実行するために基地局がUE 1とUE 2の両方をスケジューリングする例を使用することによってこの出願のこの実施形態における基準信号のリソースマッピングパターンを詳細に説明する。UE 1は、DFT-s-OFDM波形を使用し、UE 2は、OFDM波形を使用する。基地局は、異なる目的のためにこの動作を実行し得る。たとえば、以下の通りである。
【００７４】
アップリンクMU-MIMOのシナリオにおいて、基地局が、セルのスループットを増やすために、2つのUEを同時にスケジューリングする。一般に、2つのUEのチャネルは、比較的低い相関を有し、直交プリコーディングが、伝送の間に使用され得る。
【００７５】
非直交複数アクセスのシナリオにおいて、2つのUEの信号が、重なる形態で送信され得る。このシナリオにおいて、2つのUEのチャネルは、低い相関を有する必要がなく、2つのUEのデータは、非線形受信機を使用することによって復元されることができる。
【００７６】
複数セルの共同または非共同スケジューリングのシナリオにおいて、2つのUEは、隣接セルにおいて同じ時間周波数リソースにおいてスケジューリングされ、2つのUEは、異なる波形を使用する。性能を改善するために、通常、干渉抑圧能力を有する受信機、たとえば、干渉抑圧合成(英語: Interference Rejection Combining、略してIRC)受信機または逐次干渉除去(英語: Successive Interference Cancellation、略してSIC)受信機が、使用され得る。
【００７７】
図9は、この出願の実施形態によるUE 1およびUE 2の基準信号のリソースマッピングパターンの概略図である。図9に表されるように、UE 1は、基準信号リソース要素の集合pを占有し、UE 2は、基準信号リソース要素の集合p+2を占有する。UE 1の基準信号はリソース要素の集合pにマッピングされ、リソース要素の集合pは周波数領域において櫛形であることが、知られ得る。加えて、図9は、3つの連続したリソースブロック(英語: Resource Block、略してRB)を表す。UE 1は、3つの連続したRBにおいてスケジューリングされ、UE 1の基準信号は、均等な間隔で3つの連続したRBの周波数領域リソースを占有する。UE 1の基準信号の系列は、時間領域の低PAPR系列であり、系列が均等な間隔でマッピングされた後に、系列は、依然として、時間領域において低いPAPRを有する。UE 2は、リソースブロックkおよびリソースブロックk+2においてスケジューリングされ、UE 2の基準信号は、2つのリソースブロックにおけるリソース要素の集合p+2を占有し、UE 2の基準信号は、UE 2のためにスケジューリングされないリソースブロック(つまり、リソースブロックk+1)において送信されない。
【００７８】
実施形態2
この実施形態において、DFT-s-OFDM波形を使用する複数のUEがスケジューリングされるとき、UEの基準信号が、符号分割多重を通じて直交化される。
【００７９】
図10は、この出願の実施形態によるUE 1、UE 2、およびUE 3の基準信号のリソースマッピングパターンの概略図である。図10に表されるように、基地局は、3つのUEを同時にスケジューリングする。UE 1およびUE 3は、DFT-s-OFDM波形を使用し、UE 2は、OFDM波形を使用する。UE 1およびUE 3のスケジューリングされたリソースは、完全に重なり、UE 1およびUE 3の基準信号が配置されるリソース要素、たとえば、図10においてpと印を付けられたすべてのリソース要素は、完全に重なり得る。UE 1およびUE 3の基準信号はリソース要素の集合pにマッピングされ、リソース要素の集合pは周波数領域において櫛形であることが、知られ得る。加えて、UE 1およびUE 3は、符号分割直交化を実現するために異なる基準信号系列を使用する。たとえば、UE 1およびUE 3は、同じZC系列の異なる巡回シフトを通じて生成された直交系列を使用し、それによって、受信端は、UE 1およびUE 3のチャネルを別々に推定することができる。この実施形態において提供される方法によれば、DFT-s-OFDM波形を使用するUEが、同じリソース要素の集合において基準信号を伝送することができ、それによって、多重化におけるUEの数が、増やされることができる。
【００８０】
実施形態3
この実施形態において、DFT-s-OFDM波形を使用する複数のUEがスケジューリングされるとき、UEのアンテナポートが、ブロック毎(英語: Block-wise)の符号分割多重を通じて直交化される。具体的には、DFT-s-OFDM波形が使用されるとき、ネットワークデバイスによるスケジューリングの最小の周波数領域リソースの粒度が、blockとして定義される。blockは、1つのリソースブロックであってもよく、または複数のリソースブロックであってもよい。各blockにおけるUEの基準信号系列の部分系列は、時間領域の低PAPR系列であり得る。DFT-s-OFDM波形を使用する複数のUEがMU-MIMOを実現する必要があるとき、UEの周波数領域リソースは、完全に対称である必要がないが、各block内の異なるUEの周波数領域リソースは、対称である。したがって、異なるUEに対応する部分系列が、符号分割多重を通じて直交化されることができる。
【００８１】
図11は、この出願の実施形態によるUE 1、UE 2、およびUE 3の基準信号のリソースマッピングパターンの概略図である。図11に表されるように、基地局は、3つのUEを同時にスケジューリングする。UE 1、UE 2、およびUE 3は、DFT-s-OFDM波形を使用する。UE 1の基準信号はリソース要素の集合pにマッピングされ、リソース要素の集合pは周波数領域において櫛形であることが、知られ得る。UE 2の基準信号は、リソースブロックk内のpと印を付けられたリソース要素にマッピングされ、リソース要素は、また、櫛形である。UE 3は、同様である。blockはリソースブロックであると仮定する。図11は、3つのリソースブロック、つまり、3つのblockを表す。UE 1は、3つのblockを占有し、UE 1の基準信号の系列は、3つの部分系列(たとえば、部分系列1、部分系列2、および部分系列3)を含む。UE 2およびUE 3の各々は、1つのblockのみを占有し、UE 2およびUE 3の各々の基準信号の系列は、1つの部分系列のみを含む。リソースブロックkにおいて、UE 1の部分系列1およびUE 2の基準信号の系列が、符号分割多重を通じて直交化される。リソースブロックk+1において、UE 1の部分系列2およびUE 3の基準信号の系列が、符号分割多重を通じて直交化される。
【００８２】
実施形態2と異なり、この実施形態において、UE 1およびUE 2によって占有されるリソースが、部分的に重なり、UE 1およびUE 3によって占有されるリソースが、部分的に重なる。DFT-s-OFDM波形を使用し、周波数領域リソースが非対称であるUEは、block-wiseの符号分割多重を通じて、同じリソース要素の集合を使用することによって基準信号を送信することができる。
【００８３】
実施形態4
この出願が、受信端によるチャネル推定の観点からこの実施形態においてさらに説明される。
【００８４】
図12は、この出願の実施形態によるUE 1およびUE 2の基準信号のリソースマッピングパターンの概略図である。図12に表されるように、UE 1は、DFT-s-OFDM波形を使用し、リソース要素の集合pを使用することによって基準信号を伝送し、UE 2は、OFDM波形を使用し、リソース要素の集合p+2を使用することによって基準信号を伝送する。UE 1の基準信号はリソース要素の集合pにマッピングされ、リソース要素の集合pは周波数領域において櫛形であることが、知られ得る。UE 1およびUE 2の各々は、複数の連続した周波数領域リソースブロックを占有する。DFT-s-OFDM波形を使用するUE 1について、受信端は、複数のリソースブロックについて共同チャネル推定を実行する。OFDM波形を使用するUE 2について、シグナリングを使用することによって通知されなければ、受信端は、リソースブロックについて別々のチャネル推定を1つずつ実行する。
【００８５】
この実施形態は、以下のシナリオに適用され得る。OFDM波形を使用するUEが、リソースブロックを粒度として使用することによってプリコーディングを実行し得る。これは、チャネルの周波数領域の連続性を損ない得る。結果として、OFDM波形を使用するUEのチャネルは、多くの場合、連続していない。波形の低PAPR特性を維持するために、DFT-s-OFDM波形を使用するUEは、チャネルの周波数領域の連続性を維持するために、全体の周波数帯域において同じプリコーディング行列を使用する。
【００８６】
実施形態5
この出願が、可変密度の基準信号リソースマッピングの観点からこの実施形態においてさらに説明される。
【００８７】
まず、SIMOのシナリオ、つまり、(アンテナポートmと印を付けられた)単一アンテナポートを使用する伝送が考えられる。アンテナポートmが、リソース要素の集合pにおいて基準信号を伝送するために依然として使用される。しかし、チャネル状況または伝送負荷のような要因に依存して、基準信号リソースマッピングは、周波数領域において異なる密度を有し得る。密度は、すべての周波数領域リソースに対する基準信号によって占有される周波数領域リソースの比を意味する。
【００８８】
図13は、異なる密度を有する基準信号のリソースマッピングパターンの概略図である。UEがOFDM波形を使用し、チャネル品質が比較的高いとき、図13における(3)に表されるように、比較的低い基準信号密度が使用され得る。この場合、基準信号のオーバーヘッドを低減するために、基準信号がマッピングされるリソース要素の間のリソース要素にデータシンボルが挿入され得る。図13における(1)に表されるように、リソース要素の集合pは、離散的にではなく均等に分配されるが、リソース要素の集合pは、DFT-s-OFDM波形およびOFDM波形の要件を依然として満たすことができることが留意されるべきである。
【００８９】
MIMOのシナリオにおいて、基準信号を伝送するために複数のアンテナポートが使用される。複数のアンテナポートが、異なる密度を有する基準信号リソースマッピングを使用することが可能であり、基準信号が、周波数分割を通じて依然として直交化されることができる。図14は、この出願の実施形態による複数のMIMOのシナリオにおける基準信号リソースマッピングの概略図である。いずれのアンテナポートも、OFDM波形またはDFT-s-OFDM波形を使用し得る。図14における基準信号リソース要素の集合pおよびp+1における基準信号は、周波数領域において直交する。リソース要素の集合p、p+1、p+2、およびp+3は周波数領域において櫛形であることが、図14から知られ得る。
【００９０】
実施形態6
この実施形態において、DFT-s-OFDM波形およびOFDM波形に対応する基準信号を多重化するための方法を説明するために例が与えられる。OFDM波形が第1の数のアンテナポートに対応するとき、第1の数のアンテナポートを通じて伝送される基準信号は、直交符号を使用することによって周波数領域において直交化される。第1の数は、1より大きい正の整数である。DFT-s-OFDM波形が第2の数のアンテナポートに対応するとき、第2の数のアンテナポートを通じて伝送される基準信号は、直交符号を使用することによって周波数領域において直交化される。第2の数は、1より大きい正の整数である。OFDM波形に対応するアンテナポートは、OFDM波形を使用することによって基準信号を伝送するために使用されるアンテナポートであり、DFT-s-OFDM波形に対応するアンテナポートは、DFT-s-OFDM波形を使用することによって基準信号を伝送するために使用されるアンテナポートである。
【００９１】
図15は、この出願の実施形態による、基準信号のリソースマッピングパターンの概略図である。リソース要素の集合p+1およびp+2は、周波数領域において櫛形であり、各々が1つのアンテナポートに対応し得る。リソース要素の集合p+1およびp+2は、DFT-s-OFDM波形を使用することによって基準信号を送信または受信するUEにスケジューリングされる。リソース要素の集合pは、OFDM波形を使用することによって基準信号を送信または受信するUEにスケジューリングされる。リソース要素の集合pは、各々が周波数領域において2つの連続したサブキャリアを含む複数の基本単位を含む。特に、基準信号は、2つの連続したサブキャリアを含む基本単位において、直交符号を使用することによって直交化されることが可能であり、それによって、2つの連続したサブキャリアを含む基本単位における基準信号は、互いに干渉しない。具体的には、s1およびs2が2つの連続したサブキャリアにおける基準信号シンボルであると仮定して、基準信号シンボルが、直交符号{[1 1], [1 -1]}を使用することによって直交化され得る。そして、1つのアンテナポートに対応する直交符号は、[1 1]であり、直交化の後に取得される2つのシンボルは、依然としてs1およびs2であり、別のアンテナポートの直交符号は、[1 -1]であり、直交化の後に取得される2つのシンボルは、s1および-s2である。このようにして、2つの異なる直交符号を参照して、リソース要素の集合pが、使用のために2つのアンテナポートに割り当てられることができ、2つのアンテナポートを通じて伝送される基準信号は、互いに干渉しない。したがって、2つのアンテナポートが、使用のために異なるUEのためにスケジューリングされることができる。たとえば、ネットワークデバイスは、UEのためにネットワークデバイスによってスケジューリングされた第1のアンテナポートに関する情報を第1のUEに送信し、第2のアンテナポートに関する情報を第2のUEに送信し、第3のアンテナポートに関する情報を第3のUEに送信し、第4のアンテナポートに関する情報を第4のUEに送信する。第1のアンテナポートによって示されるリソースマッピングパターン内の、第1のUEの基準信号を伝送するために使用されるリソースは、図15におけるリソース要素の
集合p+1であり、第2のアンテナポートによって示されるリソースマッピングパターン内の、第2のUEの基準信号を伝送するために使用されるリソースは、図15におけるリソース要素の集合p+2であり、第3のアンテナポートによって示されるリソースマッピングパターン内の、第3のUEの基準信号を伝送するために使用されるリソースは、図15におけるリソース要素の集合pであり、第4のアンテナポートによって示されるリソースマッピングパターン内の、第4のUEの基準信号を伝送するために使用されるリソースは、図15におけるリソース要素の集合pであり、第3のアンテナポートおよび第4のアンテナポートは、直交符号を使用することによって直交化される。
【００９２】
この実施形態において、DFT-s-OFDM波形の基準信号が2つのアンテナポートに対応し、OFDM波形の基準信号が2の長さを有する直交符号に対応することは、例として使用されることが留意されるべきである。DFT-s-OFDM波形の基準信号は、より多いまたはより少ないアンテナポートに対応することが可能であり、OFDM波形の基準信号は、より長いまたはより短い直交符号に対応することが可能である。具体的には、上述の説明におけるそれと同じまたは同様の方法が、設計のために使用され得る。たとえば、リソース要素の集合p+2は、櫛形の構造であり、DFT-s-OFDM波形に対応する基準信号のためにスケジューリングされ得る。リソース要素の集合pおよびp+1は、OFDM波形の基準信号を伝送するために使用される。この場合、1つのリソースブロックにおいて、DFT-s-OFDM波形の基準信号は、1つのアンテナポートに対応し、OFDM波形の基準信号に対応する直交符号は、3の長さを有する。さらに、複数のリソースブロックのリソースマッピングパターンが、同じまたは同様の設計方法を使用することによって設計され得る。
【００９３】
実施形態7
この実施形態において、DFT-s-OFDM波形およびOFDM波形に対応する基準信号を多重化するための方法を説明するために例が与えられる。ネットワークデバイスが、任意のアンテナポートのためにいずれかの波形を構成し得る。OFDM波形に対応する基準信号は、周波数領域において櫛形の形態でマッピングされる。代替的に、OFDM波形に対応する基準信号が周波数領域においてマッピングされる形態は、DFT-s-OFDM波形に対応する基準信号が周波数領域においてマッピングされる形態と同じである。ここでの「同じ」は、OFDM波形に対応する基準信号がマッピングされるリソース要素の配列形態が、DFT-s-OFDM波形に対応する基準信号がマッピングされるリソース要素の配列形態と同じであることを意味する。しかし、周波数領域において、具体的には2つの基準信号によって占有されるリソース要素の間に、平行移動が存在し得る。OFDM波形が第1の数のアンテナポートに対応するとき、第1の数のアンテナポートを通じて伝送される基準信号は、直交符号を使用することによって周波数領域において直交化される。第1の数は、1より大きい正の整数である。DFT-s-OFDM波形が第2の数のアンテナポートに対応するとき、第2の数のアンテナポートを通じて伝送される基準信号は、直交符号を使用することによって周波数領域において直交化される。第2の数は、1より大きい正の整数である。OFDM波形に対応するアンテナポートは、OFDM波形を使用することによって基準信号を伝送するために使用されるアンテナポートであり、DFT-s-OFDM波形に対応するアンテナポートは、DFT-s-OFDM波形を使用することによって基準信号を伝送するために使用されるアンテナポートである。
【００９４】
図16は、この出願の実施形態による、基準信号のリソースマッピングパターンの概略図である。図16に表されるように、リソース要素の集合pおよびp+1の各々は、1/2の密度を有する櫛形の構造である。特に、リソース要素の集合pおよびp+1において伝送される2つの基準信号は、各々が2の長さを有する(別の長さ、たとえば、3の長さであってもよい)直交符号を使用することによって直交化される。たとえば、リソース要素の集合p内のどの2つのリソース要素も、1つの基本単位として直交化され、したがって、リソース要素の集合pは、3つの基本単位に分割され得る。実施形態6とは異なり、この実施形態において、直交化のための2つのサブキャリアは、周波数領域において連続していない。直交符号および直交化方法は、実施形態6におけるそれらと同じであり、詳細は、再びここで説明されない。リソース要素の集合pおよびp+1および2つの異なる直交符号が、使用のために4つのアンテナポートに割り当てられ得る。たとえば、ネットワークデバイスは、UEのためにネットワークデバイスによってスケジューリングされた第1のアンテナポートに関する情報を第1のUEに送信し、第2のアンテナポートに関する情報を第2のUEに送信し、第3のアンテナポートに関する情報を第3のUEに送信し、第4のアンテナポートに関する情報を第4のUEに送信する。第1のアンテナポートによって示されるリソースマッピングパターン内の、第1のUEの基準信号を伝送するために使用されるリソースは、図16におけるリソース要素の集合pであり、第2のアンテナポートによって示されるリソースマッピングパターン内の、第2のUEの基準信号を伝送するために使用されるリソースは、図16におけるリソース要素の集合pであり、第3のアンテナポートによって示されるリソースマッピングパターン内の、第3のUEの基準信号を伝送するために使用されるリソースは、図16におけるリソース要素の集合p+1であり、第4のアンテナポートによって示されるリソースマッピングパターン内の、第4のUEの基準信号を伝送するために使用されるリソースは、図16におけるリソース要素の集合p+1であり、第1のアンテナポートおよび第2のアンテナポートは、第1の直交符号を使用することによって直交化され、第3のアンテナポートおよび第4のアンテナポー
トは、第2の直交符号を使用することによって直交化される。
【００９５】
同様に、この実施形態において、リソース要素の集合が1/2の密度を有する櫛形の構造であることは例として使用され、この実施形態において開示される方法が他の密度にも適用可能であることが留意されるべきである。各リソース要素の集合の密度が1/nであるとき、リソース要素の集合p、p+1、...、p+(n-1)が取得されることができる。各リソース要素の集合は、m個のリソース要素を含み、mの長さを有する直交化が、m個のリソース要素に対して実行され得る。たとえば、図14における4ポート構成1を例として使用して、この場合、3の長さを有する直交化がリソース要素の集合pに対して実行されるならば、リソース要素の集合pが、使用のために3つのアンテナポートに割り当てられ得る。この場合、4ポート構成は、6ポート構成に拡張され得る。この場合、3の長さを有する直交化がリソース要素の集合p+1に対してさらに実行されるならば、この場合におけるアンテナポート構成は、8ポート構成にさらに拡張され得る。1つのリソースブロックにおいて基準信号によってサポートされるUEの数を増やすために、異なるポートが、使用のために異なるUEのためにスケジューリングされ得る。
【００９６】
この出願のこの実施形態において、1つのリソースブロックはより多いまたはより少ないシンボルおよびサブキャリアを含み得ることが留意されるべきである。したがって、上述の説明におけるそれと同じまたは同様の設計による、この出願において提供される方法は、別の数のシンボルまたはサブキャリアを含むリソースブロックにさらに適用され得る。
【００９７】
この出願のこの実施形態において提供される方法は、マルチキャリア波形(たとえば、フィルタ・バンク・マルチキャリア(英語: Filter Bank Multicarrier、略してFBMC)波形)およびシングルキャリア波形(たとえば、ユニーク・ワード(英語: Unique Word、略してUW)-DFT-s-OFDM波形)の別の組み合わせにも適用され得ることが留意されるべきである。具体的な詳細について、上述の実施形態を参照されたく、詳細は再びここで説明されない。
【００９８】
この出願において提供される上述の実施形態において、この出願の実施形態において提供される基準信号および関連するシグナリングを伝送するための方法が、ネットワークデバイスおよびUEの観点から説明されている。上述の機能を実現するために、UEおよびネットワークデバイスの各々は、機能を実行するための対応するハードウェア構造および／またはソフトウェアモジュールを含むことが理解され得る。この技術分野の当業者は、この明細書において開示された実施形態において説明された例におけるユニットおよびアルゴリズムのステップを参照して、この出願がハードウェアまたはハードウェアとコンピュータソフトウェアの組み合わせによって実現され得ることに容易に気付くはずである。機能がハードウェアによって実行されるか、またはコンピュータソフトウェアによって駆動されるハードウェアによって実行されるかは、特定の応用、および技術的解決策の設計の制約に依存する。この技術分野の当業者は、異なる方法を使用して、説明された機能を各々の特定の応用のために実現し得るが、実装は、この出願の範囲を超えると考えられるべきでない。
【００９９】
図17は、この出願の実施形態による、ネットワークデバイスの可能な概略的な構造図である。図17に表されるネットワークデバイスは、トランシーバ1701およびコントローラ／プロセッサ1702を含む。トランシーバ1701は、上述の実施形態においてUEから情報を受信し、UEに情報を送信する際にネットワークデバイスを支援し、他のUEとの無線通信を実行する際にUEを支援するように構成され得る。コントローラ／プロセッサ1702は、UEまたは別のネットワークデバイスとの通信のための様々な機能を実行するように構成され得る。アップリンクにおいて、UEからのアップリンク信号は、アンテナを通じて受信され、トランシーバ1701によって復調され、UEによって送信されるサービスデータおよびシグナリングメッセージを復元するためにコントローラ／プロセッサ1702によってさらに処理される。ダウンリンクにおいて、サービスデータおよびシグナリングメッセージは、ダウンリンク信号を生成するためにコントローラ／プロセッサ1702によって処理され、トランシーバ1701によって変調され、ダウンリンク信号は、アンテナを通じてUEに伝送される。具体的には、トランシーバ1701は、UEに、UEのためにスケジューリングされた波形に関する情報、UEのためにスケジューリングされたアンテナポートに関する情報、およびUEのためにスケジューリングされたリソースブロックに関する情報を送信するように構成され、UEとの基準信号伝送のために構成される。コントローラ／プロセッサ1702は、UEのためにスケジューリングされた波形に関する情報、UEのためにスケジューリングされたアンテナポートに関する情報、およびUEのためにスケジューリングされたリソースブロックに関する情報を生成するように構成され得る。波形は、OFDM波形またはDFT-s-OFDM波形を含み、アンテナポートは、基準信号を送信または受信するためにUEによって使用されるリソースマッピングパターンを示す。さらに、アンテナポートは、基準信号系列および／または直交符号のような情報を示す。リソースマッピングパターンは、時間周波数リソースにおける基準信号の位置を指し、基準信号系列は、基準信号を形成するために使用される系列を指し、直交符号は、符号分割多重が異なるアンテナポートの基準信号に対して実行
されるときに異なるアンテナポートに適用される相互に直交する符号を指す。リソースマッピングパターンのシンボルにおいて、DFT-s-OFDM波形に対応する基準信号は、周波数領域において櫛形の形態でマッピングされ、OFDM波形に対応する基準信号は、DFT-s-OFDM波形がマッピングされないリソースにマッピングされる。周波数領域における櫛形のマッピングは、周波数領域における均等な離散したマッピングを意味する。UEによって使用されるリソースマッピングパターンは、上記で説明されたいずれか1つであり得る。関連する詳細について、上述の方法の実施形態を参照されたく、詳細は再びここで説明されない。
【０１００】
図17は、ネットワークデバイスの単純化された設計のみを表すことが理解され得る。実際の応用において、ネットワークデバイスは、任意の数の送信機、受信機、プロセッサ、コントローラ、メモリ、通信ユニット、および同様のものを含み得る。この出願を実現することができるすべてのネットワークデバイスは、この出願の保護範囲内に入る。
【０１０１】
図18は、この出願の実施形態による、UEの可能な設計構造の単純化された概略図である。UEは、上記で説明されたUEのうちの1つであり得る。UEは、トランシーバ1801およびコントローラ／プロセッサ1802を含み、メモリ1803およびモデムプロセッサ1804をさらに含み得る。
【０１０２】
トランシーバ1801は、出力サンプルを調整し(たとえば、出力サンプルに対して、アナログ変換、フィルタリング、増幅、およびアップコンバートを実行し)、アップリンク信号を生成する。アップリンク信号は、アンテナを通じて上述の実施形態における基地局に伝送される。ダウンリンクにおいて、アンテナは、上述の実施形態における基地局によって伝送されたダウンリンク信号を受信する。トランシーバ1801は、アンテナから受信された信号を調整し(たとえば、アンテナから受信された信号に対して、フィルタリング、増幅、ダウンコンバート、およびデジタル化を実行し)、入力サンプルを提供する。モデムプロセッサ1804において、エンコーダ18041は、アップリンクにおいて送信されるべきサービスデータおよびシグナリングメッセージを受信し、サービスデータおよびシグナリングメッセージを処理する(たとえば、フォーマットし、エンコードし、インターリーブする)。変調器18042は、さらに、エンコードされたサービスデータおよびシグナリングメッセージを処理し(たとえば、エンコードされたサービスデータおよびシグナリングメッセージに対して、シンボルマッピングおよび変調を実行し)、出力サンプルを提供する。復調器18044は、入力サンプルを処理し(たとえば、復調し)、シンボル推定を提供する。デコーダ18043は、シンボル推定を処理し(たとえば、デインターリーブし、デコードし)、UEに送信されるべきデコードされたデータおよびデコードされたシグナリングメッセージを提供する。エンコーダ18041、変調器18042、復調器18044、およびデコーダ18043は、統合されたモデムプロセッサ1804を使用することによって実現され得る。ユニットは、無線アクセスネットワークによって使用される無線アクセス技術(たとえば、LTEおよび別の進化型システムのアクセス技術)に基づいて処理を実行する。
【０１０３】
コントローラ／プロセッサ1802は、UEのアクションを制御および管理し、上述の実施形態におけるUEによって実行される処理、たとえば、基準信号の再構成、および干渉の推定および除去を実行するように構成される。関連する詳細について、上述の方法の実施形態を参照されたく、詳細は再びここで説明されない。トランシーバ1801は、ネットワークデバイスによって送信される波形に関する情報、アンテナポートに関する情報、およびリソースブロックに関する情報を受信するように構成され、ネットワークデバイスとの基準信号伝送のために構成される。
【０１０４】
この出願における基地局またはUEの機能を実行するように構成されたコントローラ／プロセッサは、中央処理ユニット(CPU)、汎用プロセッサ、デジタル信号プロセッサ(DSP)、特定用途向け集積回路(ASIC)、フィールド・プログラマブル・ゲート・アレイ(FPGA)または別のプログラマブル論理デバイス、トランジスタ論理デバイス、ハードウェア構成要素、またはそれらの任意の組み合わせであり得る。コントローラ／プロセッサは、この出願において開示された内容を参照して説明された様々な例示の論理ブロック、モジュール、および回路を実現または実行し得る。代替的に、プロセッサは、コンピューティング機能を実現するプロセッサの組み合わせ、たとえば、1つ以上のマイクロプロセッサの組み合わせ、またはDSPとマイクロプロセッサの組み合わせであり得る。
【０１０５】
この出願の実施形態におけるプロセッサは、処理モジュールを使用することによって実現されることが可能であり、トランシーバは、トランシーバモジュールを使用することによって実現されることが可能であることが理解されるべきである。
【０１０６】
この出願において開示された内容を参照して説明された方法またはアルゴリズムのステップは、ハードウェアによって実現されてもよく、またはソフトウェア命令を実行することによってプロセッサによって実現されてもよい。ソフトウェア命令は、対応するソフトウェアモジュールによって形成され得る。ソフトウェアモジュールは、RAM、フラッシュメモリ、ROM、EPROM、EEPROM、レジスタ、ハードディスク、取り外し可能なハードディスク、CD-ROM、またはこの技術分野で知られた任意の他の形式の記憶媒体に配置され得る。たとえば、記憶媒体は、プロセッサが記憶媒体から情報を読み取り、または記憶媒体に情報を書き込むことができるようにプロセッサに結合される。もちろん、記憶媒体は、プロセッサの構成要素であり得る。プロセッサおよび記憶媒体は、ASIC内に配置され得る。加えて、ASICは、ユーザ機器内に配置され得る。もちろん、プロセッサおよび記憶媒体は、離散した構成要素としてユーザ機器内に存在し得る。
【０１０７】
上述の実施形態のすべてまたはいくつかは、ソフトウェア、ハードウェア、ファームウェア、またはそれらの任意の組み合わせによって実現され得る。ソフトウェアが実施形態を実現するために使用されるとき、実施形態は、コンピュータプログラム製品の形式で完全にまたは部分的に実現され得る。コンピュータプログラム製品は、1つ以上のコンピュータ命令を含む。コンピュータプログラム命令がコンピュータにおいてロードされ、実行されるとき、この出願の実施形態による手順または機能が、すべてまたは部分的に生成される。コンピュータは、汎用コンピュータ、専用コンピュータ、コンピュータネットワーク、または他のプログラミング可能な装置であり得る。コンピュータ命令は、コンピュータ読み取り可能な記憶媒体に記憶されてもよく、またはコンピュータ読み取り可能な記憶媒体から別のコンピュータ読み取り可能な記憶媒体に伝送されてもよい。たとえば、コンピュータ命令は、1つのウェブサイト、コンピュータ、サーバ、またはデータセンターから別のウェブサイト、コンピュータ、サーバ、またはデータセンターに有線(たとえば、同軸ケーブル、光ファイバ、またはデジタル加入者線(DSL))またはワイヤレス(たとえば、赤外線、無線、またはマイクロ波)の形態で伝送されてもよい。コンピュータ読み取り可能な記憶媒体は、コンピュータによってアクセス可能な任意の使用可能な媒体、または1つ以上の使用可能な媒体を統合するサーバまたはデータセンターのようなデータ記憶デバイスであり得る。使用可能な媒体は、磁気媒体(たとえば、フロッピーディスク、ハードディスク、または磁気テープ)、光学媒体(たとえば、DVD)、半導体媒体(たとえば、ソリッドステートディスク solid state disk (SSD))、または同様のものであり得る。
【０１０８】
この明細書における用語「および／または」は、関連付けられた対象を説明するための関連付けの関係のみを説明し、3つの関係が存在し得ることを表現する。たとえば、Aおよび／またはBは、次の3つの場合、すなわち、Aのみが存在する、AとBの両方が存在する、およびBのみが存在する、を表現し得る。加えて、この明細書における文字「／」は、一般に、関連付けられた対象の間の「または」の関係を示す。
【０１０９】
この技術分野の当業者は、この明細書において開示された実施形態を参照して説明された例におけるユニットおよびアルゴリズムのステップが電子ハードウェアまたはコンピュータソフトウェアと電子ハードウェアの組み合わせによって実現され得ることに気付き得る。機能がハードウェアによって実行されるか、またはソフトウェアによって実行されるかは、特定の応用、および技術的解決策の設計の制約に依存する。この技術分野の当業者は、異なる方法を使用して、説明された機能を各々の特定の応用のために実現し得るが、実装は、この出願の範囲を超えると考えられるべきでない。
【０１１０】
便利で簡単な説明の目的のために、上述のシステム、装置、およびユニットの詳細な作動プロセスについて、上述の方法の実施形態における対応するプロセスへの参照が行われることが可能であり、詳細は再びここで説明されないことがこの技術分野の当業者によって明確に理解され得る。
【０１１１】
上述の説明は、この出願の単に具体的な実装であるが、この出願の保護範囲を限定するように意図されない。この出願において開示された技術的範囲内でこの技術分野の当業者によって容易に理解される任意の変形または置換は、この出願の保護範囲内に入るものである。したがって、この出願の保護範囲は、請求項の保護範囲に従うものである。
【符号の説明】
【０１１２】
1701  トランシーバ
1702  コントローラ／プロセッサ
1801  トランシーバ
1802  コントローラ／プロセッサ
1803  メモリ
1804  モデムプロセッサ
18041  エンコーダ
18042  変調器
18043  デコーダ
18044  復調器
【手続補正２】
【補正対象書類名】特許請求の範囲
【補正対象項目名】全文
【補正方法】変更
【補正の内容】
【特許請求の範囲】
【請求項１】
基準信号を送信および受信するための方法であって、前記方法が、
波形、アンテナポート、およびリソースブロックに関する情報を受信するステップであって、前記波形が、OFDM波形またはDFT-s-OFDM波形を備え、前記アンテナポートが、基準信号のリソースマッピングパターンを示し、前記リソースマッピングパターンのシンボルにおいて、前記波形が前記DFT-s-OFDM波形であるとき、前記DFT-s-OFDM波形に対応する基準信号が周波数領域において櫛形の形態でマッピングされ、または前記波形が前記OFDM波形であるとき、前記OFDM波形に対応する基準信号が周波数領域において櫛形の形態でマッピングされ、または前記OFDM波形に対応する基準信号が2つの連続したサブキャリアを備えるリソース要素の集合において伝送される、ステップと、
前記波形、前記アンテナポート、および前記リソースブロックに関する前記情報に基づいて、前記リソースブロックにおいて前記基準信号を送信または受信するステップと、
を備える方法。
【請求項２】
前記方法が、直交符号を使用することによって、2つの連続したサブキャリアを備える前記リソース要素の集合において前記基準信号を直交化するステップをさらに備える、請求項1に記載の方法。
【請求項３】
基準信号を送信および受信するための方法であって、前記方法が、
波形、アンテナポート、およびリソースブロックに関する情報を送信するステップであって、前記波形が、OFDM波形またはDFT-s-OFDM波形を備え、前記アンテナポートが、基準信号のリソースマッピングパターンを示し、前記リソースマッピングパターンのシンボルにおいて、前記波形が前記DFT-s-OFDM波形であるとき、前記DFT-s-OFDM波形に対応する基準信号が周波数領域において櫛形の形態でマッピングされ、または前記波形が前記OFDM波形であるとき、前記OFDM波形に対応する基準信号が周波数領域において櫛形の形態でマッピングされ、または前記OFDM波形に対応する基準信号が2つの連続したサブキャリアを備えるリソース要素の集合において伝送される、ステップと、
前記波形、前記アンテナポート、および前記リソースブロックに関する前記情報に基づいて、前記リソースブロックにおいて前記基準信号を送信または受信するステップと、
を備える方法。
【請求項４】
2つの連続したサブキャリアを備える前記リソース要素の集合における前記基準信号が、直交符号を使用することによって直交化される、請求項3に記載の方法。
【請求項５】
通信デバイスであって、前記通信デバイスが、
波形、アンテナポート、およびリソースブロックに関する情報を受信するように構成されたトランシーバであって、前記波形が、OFDM波形またはDFT-s-OFDM波形を備え、前記アンテナポートが、基準信号のリソースマッピングパターンを示し、前記リソースマッピングパターンのシンボルにおいて、前記波形が前記DFT-s-OFDM波形であるとき、前記DFT-s-OFDM波形に対応する基準信号が周波数領域において櫛形の形態でマッピングされ、または前記波形が前記OFDM波形であるとき、前記OFDM波形に対応する基準信号が周波数領域において櫛形の形態でマッピングされ、または前記OFDM波形に対応する基準信号が2つの連続したサブキャリアを備えるリソース要素の集合において伝送される、トランシーバを備え、
前記トランシーバが、前記波形、前記アンテナポート、および前記リソースブロックに関する前記情報に基づいて、前記リソースブロックにおいて前記基準信号を送信または受信するようにさらに構成された、通信デバイス。
【請求項６】
前記通信デバイスが、直交符号を使用することによって、2つの連続したサブキャリアを備える前記リソース要素の集合において前記基準信号を直交化するように構成されたプロセッサを備える、請求項5に記載の通信デバイス。
【請求項７】
ネットワークデバイスであって、前記ネットワークデバイスが、
波形、アンテナポート、およびリソースブロックに関する情報を送信するように構成されたトランシーバであって、前記波形が、OFDM波形またはDFT-s-OFDM波形を備え、前記アンテナポートが、基準信号のリソースマッピングパターンを示し、前記リソースマッピングパターンのシンボルにおいて、前記波形が前記DFT-s-OFDM波形であるとき、前記DFT-s-OFDM波形に対応する基準信号が周波数領域において櫛形の形態でマッピングされ、または前記波形が前記OFDM波形であるとき、前記OFDM波形に対応する基準信号が周波数領域において櫛形の形態でマッピングされ、または前記OFDM波形に対応する基準信号が2つの連続したサブキャリアを備えるリソース要素の集合において伝送される、トランシーバを備え、
前記トランシーバが、前記波形、前記アンテナポート、および前記リソースブロックに関する前記情報に基づいて、前記リソースブロックにおいて前記基準信号を送信または受信するようにさらに構成された、ネットワークデバイス。
【請求項８】
2つの連続したサブキャリアを備える前記リソース要素の集合における前記基準信号が、直交符号を使用することによって直交化される、請求項7に記載のネットワークデバイス。
【請求項９】
請求項1から4のいずれか一項に記載の方法を実行するために設計されたプログラムを備えるコンピュータ読み取り可能な記憶媒体。
【請求項１０】
コンピュータプログラムであって、1つ以上のコンピュータ命令を備え、前記コンピュータ命令がコンピュータにおいてロードされ、実行されるとき、請求項1から4のいずれか一項に記載の方法が実行される、コンピュータプログラム。
【国際調査報告】
2020515111.tif 000024
2020515111.tif 000025
2020515111.tif 000026
2020515111.tif 000027